(57)【特許請求の範囲】
【請求項１】
無線通信方法であって、
端末デバイスにより、制御チャネルの複数のサーチセクションのうち少なくとも１つに対応するパイロット信号を決定するステップであり、前記少なくとも１つのサーチセクションの各々に対応するパイロット信号は各サーチセクション内の制御チャネル候補の復調パイロットとの擬似コロケーションＱＣＬ関連づけを有し、前記複数のサーチセクションの中の異なるタイプのサーチセクションは異なるタイプのパイロット信号に対応し、前記複数のサーチセクションは共用サーチセクションを含み、前記共用サーチセクションに対応するパイロット信号は第１のタイプのパイロット信号であり、前記第１のタイプの前記パイロット信号は、以下の信号、すなわち、同期信号、報知チャネルの復調パイロット、及びビーム測定パイロット、のうち少なくとも１つである、ステップと、
前記端末デバイスにより、前記少なくとも１つのサーチセクション内の制御チャネル候補を、前記少なくとも１つのサーチセクションに対応する前記パイロット信号と前記少なくとも１つのサーチセクション内の前記制御チャネル候補の前記復調パイロットとの間の前記ＱＣＬ関連づけに基づいて検出するステップと、
を含み、
当該方法は、
前記端末デバイスにより、ランダムアクセスプリアンブルをネットワークデバイスに送出するステップと、
前記ネットワークデバイスにより送出され、かつ前記ランダムアクセスプリアンブルに対応するランダムアクセス応答を受信するステップと、
をさらに含み、
端末デバイスにより、制御チャネルの複数のサーチセクションのうち少なくとも１つに対応するパイロット信号を決定するステップは、
前記端末デバイスにより送出された前記ランダムアクセスプリアンブルに関連づけられた第１のパイロット信号を、前記共用サーチセクションに対応する前記パイロット信号として決定するステップであり、前記第１のパイロット信号は前記第１のタイプのパイロット信号である、ステップ、
を含む、方法。
【請求項２】
前記端末デバイスにより送出された前記ランダムアクセスプリアンブルに関連づけられた第１のパイロット信号を、前記共用サーチセクションに対応する前記パイロット信号として決定するステップの前に、当該方法は、
前記端末デバイスにより、前記端末デバイスにより送出された前記ランダムアクセスプリアンブルと、ランダムアクセスプリアンブル及び前記第１のタイプのパイロット信号の間の対応関係とに基づいて、前記第１のパイロット信号を決定するステップであり、異なるランダムアクセスプリアンブルは前記第１のタイプのパイロット信号の異なるシーケンスに対応する、ステップ、又は
前記端末デバイスにより、前記端末デバイスにより送出された前記ランダムアクセスプリアンブルと、ランダムアクセスプリアンブル及び前記第１のタイプのパイロット信号の時間周波数リソースの間の対応関係とに基づいて、前記第１のパイロット信号を決定するステップであり、異なるランダムアクセスプリアンブルは前記第１のタイプのパイロット信号の異なる時間周波数リソースに対応する、ステップ、又は
前記端末デバイスにより、前記端末デバイスにより送出された前記ランダムアクセスプリアンブルの時間周波数リソースと、ランダムアクセスプリアンブルの時間周波数リソース及び前記第１のタイプのパイロット信号の間の対応関係とに基づいて、前記第１のパイロット信号を決定するステップであり、ランダムアクセスプリアンブルの時間周波数リソース及び前記第１のタイプのパイロット信号の間の前記対応関係は、前記ランダムアクセスプリアンブルの異なる時間周波数リソースが前記第１のタイプのパイロット信号の異なるシーケンスに対応することである、ステップ、又は
前記端末デバイスにより、前記端末デバイスにより送出された前記ランダムアクセスプリアンブルの時間周波数リソースと、ランダムアクセスプリアンブルの時間周波数リソース及び前記第１のタイプのパイロット信号の時間周波数リソースの間の対応関係とに基づいて、前記第１のパイロット信号を決定するステップであり、前記ランダムアクセスプリアンブルの異なる時間周波数リソースは前記第１のパイロット信号の異なる時間周波数リソースに対応する、ステップ
をさらに含む請求項１に記載の方法。
【請求項３】
前記複数のサーチセクションはユーザ特有サーチセクションを含み、
前記ユーザ特有サーチセクションに対応するパイロット信号は第２のタイプのパイロット信号であり、前記第２のタイプの前記パイロット信号はチャネル状態情報参照信号ＣＳＩ‐ＲＳである、請求項１に記載の方法。
【請求項４】
無線通信方法であって、
ネットワークデバイスにより、制御チャネルの複数のサーチセクションのうち少なくとも１つに対応するパイロット信号を決定するステップであり、前記少なくとも１つのサーチセクションの各々に対応するパイロット信号は各サーチセクション内の制御チャネル候補の復調パイロットとの擬似コロケーションＱＣＬ関連づけを有し、前記複数のサーチセクションの中の異なるタイプのサーチセクションは異なるタイプのパイロット信号に対応し、前記複数のサーチセクションは共用サーチセクションを含み、前記共用サーチセクションに対応するパイロット信号は第１のタイプのパイロット信号であり、前記第１のタイプの前記パイロット信号は、以下の信号、すなわち、同期信号、報知チャネルの復調パイロット、及びビーム測定パイロット、のうち少なくとも１つである、ステップと、
前記ネットワークデバイスにより、前記制御チャネルの前記複数のサーチセクションのうち前記少なくとも１つに対応する前記パイロット信号を送出するステップと、
を含み、
当該方法は、
前記ネットワークデバイスにより、端末デバイスにより送出されたランダムアクセスプリアンブルを受信するステップと、
前記ネットワークデバイスにより、前記端末デバイスに対して前記ランダムアクセスプリアンブルに対応するランダムアクセス応答を送出するステップと、
をさらに含み、
ネットワークデバイスにより、制御チャネルの複数のサーチセクションのうち少なくとも１つに対応するパイロット信号を決定するステップは、
前記ネットワークデバイスにより受信された前記ランダムアクセスプリアンブルに関連づけられた第１のパイロット信号を、前記共用サーチセクションに対応する前記パイロット信号として決定するステップであり、前記第１のパイロット信号は前記第１のタイプのパイロット信号である、ステップ
を含む、方法。
【請求項５】
前記ネットワークデバイスにより受信された前記ランダムアクセスプリアンブルに関連づけられた第１のパイロット信号を、前記共用サーチセクションに対応する前記パイロット信号として決定するステップの前に、当該方法は、
前記ネットワークデバイスにより、前記ネットワークデバイスにより受信された前記ランダムアクセスプリアンブルと、ランダムアクセスプリアンブル及び前記第１のタイプのパイロット信号の間の対応関係とに基づいて、前記第１のパイロット信号を決定するステップであり、異なるランダムアクセスプリアンブルは前記第１のタイプのパイロット信号の異なるシーケンスに対応する、ステップ、又は、
前記ネットワークデバイスにより、前記端末デバイスにより送出された前記ランダムアクセスプリアンブルと、ランダムアクセスプリアンブル及び前記第１のタイプのパイロット信号の時間周波数リソースの間の対応関係とに基づいて、前記第１のパイロット信号を決定するステップであり、異なるランダムアクセスプリアンブルは前記第１のタイプのパイロット信号の異なる時間周波数リソースに対応する、ステップ、又は
前記ネットワークデバイスにより、前記ネットワークデバイスにより受信された前記ランダムアクセスプリアンブルの時間周波数リソースと、ランダムアクセスプリアンブルの時間周波数リソース及び前記第１のタイプのパイロット信号の間の対応関係とに基づいて、前記第１のパイロット信号を決定するステップであり、ランダムアクセスプリアンブルの時間周波数リソース及び前記第１のタイプのパイロット信号の間の前記対応関係は、前記ランダムアクセスプリアンブルの異なる時間周波数リソースが前記第１のタイプのパイロット信号の異なるシーケンスに対応することである、ステップ、又は
前記ネットワークデバイスにより、前記ネットワークデバイスにより受信された前記ランダムアクセスプリアンブルの時間周波数リソースと、ランダムアクセスプリアンブルの時間周波数リソース及び前記第１のタイプのパイロット信号の時間周波数リソースの間の対応関係とに基づいて、前記第１のパイロット信号を決定するステップであり、前記ランダムアクセスプリアンブルの異なる時間周波数リソースは前記第１のパイロット信号の異なる時間周波数リソースに対応する、ステップ
をさらに含む、請求項４に記載の方法。
【請求項６】
前記複数のサーチセクションはユーザ特有サーチセクションを含み、
前記ユーザ特有サーチセクションに対応するパイロット信号は第２のタイプのパイロット信号であり、前記第２のタイプの前記パイロット信号はＣＳＩ‐ＲＳである、請求項４に記載の方法。
【請求項７】
端末デバイスであって、
制御チャネルの複数のサーチセクションのうち少なくとも１つに対応するパイロット信号を決定するように構成された決定ユニットであり、前記少なくとも１つのサーチセクションの各々に対応するパイロット信号は各サーチセクション内の制御チャネル候補の復調パイロットとの擬似コロケーションＱＣＬ関連づけを有し、前記複数のサーチセクションの中の異なるタイプのサーチセクションは異なるタイプのパイロット信号に対応し、前記複数のサーチセクションは共用サーチセクションを含み、前記共用サーチセクションに対応するパイロット信号は第１のタイプのパイロット信号であり、前記第１のタイプの前記パイロット信号は、以下の信号、すなわち、同期信号、報知チャネルの復調パイロット、及びビーム測定パイロット、のうち少なくとも１つである、決定ユニットと、
前記少なくとも１つのサーチセクション内の制御チャネル候補を、前記少なくとも１つのサーチセクションに対応する前記パイロット信号と前記少なくとも１つのサーチセクション内の前記制御チャネル候補の前記復調パイロットとの間の前記ＱＣＬ関連づけに基づいて検出するように構成された検出ユニットと、
を含み、
当該デバイスは、
ランダムアクセスプリアンブルをネットワークデバイスに送出するように構成された送出ユニットと、
前記ネットワークデバイスにより送出され、かつ前記ランダムアクセスプリアンブルに対応するランダムアクセス応答を受信するように構成された受信ユニットと、
をさらに含み、
前記決定ユニットは、
前記送出ユニットにより送出された前記ランダムアクセスプリアンブルに関連づけられた第１のパイロット信号を、前記共用サーチセクションに対応する前記パイロット信号として決定することであり、前記第１のパイロット信号は前記第１のタイプのパイロット信号である
ようにさらに構成される、デバイス。
【請求項８】
前記決定ユニットが、当該端末デバイスにより送出された前記ランダムアクセスプリアンブルに関連づけられた前記第１のパイロット信号を、前記共用サーチセクションに対応する前記パイロット信号として決定する前、前記決定ユニットは、
当該端末デバイスにより、前記送出ユニットにより送出された前記ランダムアクセスプリアンブルと、ランダムアクセスプリアンブル及び前記第１のタイプのパイロット信号の間の対応関係とに基づいて、前記第１のパイロット信号を決定することであり、異なるランダムアクセスプリアンブルは前記第１のタイプのパイロット信号の異なるシーケンスに対応し、あるいは
当該端末デバイスにより、当該端末デバイスにより送出された前記ランダムアクセスプリアンブルと、ランダムアクセスプリアンブル及び前記第１のタイプのパイロット信号の時間周波数リソースの間の対応関係とに基づいて、前記第１のパイロット信号を決定することであり、異なるランダムアクセスプリアンブルは前記第１のタイプのパイロット信号の異なる時間周波数リソースに対応し、あるいは
当該端末デバイスにより、前記送出ユニットにより送出された前記ランダムアクセスプリアンブルの時間周波数リソースと、ランダムアクセスプリアンブルの時間周波数リソース及び前記第１のタイプのパイロット信号の間の対応関係とに基づいて、前記第１のパイロット信号を決定することであり、ランダムアクセスプリアンブルの時間周波数リソース及び前記第１のタイプのパイロット信号の間の前記対応関係は、前記ランダムアクセスプリアンブルの異なる時間周波数リソースが前記第１のタイプのパイロット信号の異なるシーケンスに対応することであり、あるいは
当該端末デバイスにより、前記送出ユニットにより送出された前記ランダムアクセスプリアンブルの時間周波数リソースと、ランダムアクセスプリアンブルの時間周波数リソース及び前記第１のタイプのパイロット信号の時間周波数リソースの間の対応関係とに基づいて、前記第１のパイロット信号を決定することであり、前記ランダムアクセスプリアンブルの異なる時間周波数リソースは前記第１のパイロット信号の異なる時間周波数リソースに対応する
ようにさらに構成される、請求項７に記載のデバイス。
【請求項９】
前記複数のサーチセクションはユーザ特有サーチセクションを含み、
前記ユーザ特有サーチセクションに対応するパイロット信号は第２のタイプのパイロット信号であり、前記第２のタイプの前記パイロット信号はＣＳＩ‐ＲＳである、請求項７に記載のデバイス。
【請求項１０】
ネットワークデバイスであって、
制御チャネルの複数のサーチセクションのうち少なくとも１つに対応するパイロット信号を決定するように構成された決定ユニットであり、前記少なくとも１つのサーチセクションの各々に対応するパイロット信号は各サーチセクション内の制御チャネル候補の復調パイロットとの擬似コロケーションＱＣＬ関連づけを有し、前記複数のサーチセクションの中の異なるタイプのサーチセクションは異なるタイプのパイロット信号に対応し、前記複数のサーチセクションは共用サーチセクションを含み、前記共用サーチセクションに対応するパイロット信号は第１のタイプのパイロット信号であり、前記第１のタイプの前記パイロット信号は、以下の信号、すなわち、同期信号、報知チャネルの復調パイロット、及びビーム測定パイロット、のうち少なくとも１つである、決定ユニットと、
前記制御チャネルの前記複数のサーチセクションのうち前記少なくとも１つに対応する前記パイロット信号を送出するように構成された送出ユニットと、
を含み、
当該デバイスは、
端末デバイスにより送出されたランダムアクセスプリアンブルを受信するように構成された受信ユニット
をさらに含み、
前記送出ユニットは、前記端末デバイスに対して前記ランダムアクセスプリアンブルに対応するランダムアクセス応答を送出するようにさらに構成され、
前記決定ユニットは、
当該ネットワークデバイスにより受信された前記ランダムアクセスプリアンブルに関連づけられた第１のパイロット信号を、前記共用サーチセクションに対応する前記パイロット信号として決定することであり、前記第１のパイロット信号は前記第１のタイプのパイロット信号である
ように構成される、デバイス。
【請求項１１】
前記決定ユニットが、前記受信ユニットにより受信された前記ランダムアクセスプリアンブルに関連づけられた前記第１のパイロット信号を、前記共用サーチセクションに対応する前記パイロット信号として決定する前、前記決定ユニットは、
当該ネットワークデバイスにより、前記受信ユニットにより受信された前記ランダムアクセスプリアンブルと、ランダムアクセスプリアンブル及び前記第１のタイプのパイロット信号の間の対応関係とに基づいて、前記第１のパイロット信号を決定することであり、異なるランダムアクセスプリアンブルは前記第１のタイプのパイロット信号の異なるシーケンスに対応し、あるいは
当該ネットワークデバイスにより、前記端末デバイスにより送出されたランダムアクセスプリアンブルと、ランダムアクセスプリアンブル及び前記第１のタイプのパイロット信号の時間周波数リソースの間の対応関係とに基づいて、前記第１のパイロット信号を決定することであり、異なるランダムアクセスプリアンブルは前記第１のタイプのパイロット信号の異なる時間周波数リソースに対応し、あるいは
当該ネットワークデバイスにより、前記受信ユニットにより受信された前記ランダムアクセスプリアンブルの時間周波数リソースと、ランダムアクセスプリアンブルの時間周波数リソース及び前記第１のタイプのパイロット信号の間の対応関係とに基づいて、前記第１のパイロット信号を決定することであり、ランダムアクセスプリアンブルの時間周波数リソース及び前記第１のタイプのパイロット信号の間の前記対応関係は、前記ランダムアクセスプリアンブルの異なる時間周波数リソースが前記第１のタイプのパイロット信号の異なるシーケンスに対応することであり、あるいは
当該ネットワークデバイスにより、前記受信ユニットにより受信された前記ランダムアクセスプリアンブルの時間周波数リソースと、ランダムアクセスプリアンブルの時間周波数リソース及び前記第１のタイプのパイロット信号の時間周波数リソースの間の対応関係とに基づいて、前記第１のパイロット信号を決定することであり、前記ランダムアクセスプリアンブルの異なる時間周波数リソースは前記第１のパイロット信号の異なる時間周波数リソースに対応する
ようにさらに構成される、請求項１０に記載のデバイス。
【請求項１２】
前記複数のサーチセクションはユーザ特有サーチセクションを含み、
前記ユーザ特有サーチセクションに対応するパイロット信号は第２のタイプのパイロット信号であり、前記第２のタイプの前記パイロット信号はＣＳＩ‐ＲＳである、請求項１０に記載のデバイス。
【発明の詳細な説明】
【技術分野】
【０００１】
本願は、2017年1月9日に中国特許庁に出願され、「WIRELESS  COMMUNICATION  METHOD,  TERMINAL  DEVICE,  AND  NETWORK  DEVICE」と題された中国特許出願第201710013685.7号に対する優先権を主張し、該出願はその全体を本明細書において参照により援用される。
［技術分野］
本願の実施形態は通信分野に関し、より具体的には無線通信方法、端末デバイス、及びネットワークデバイスに関する。
【背景技術】
【０００２】
下りリンク制御チャネル(Physical  Downlink  Control  Channel、ＰＤＣＣＨ)は、下りリンク制御情報(Downlink  Control  Information、ＤＣＩ)を搬送するために使用される。ＤＣＩは、各ユーザについて、ユーザに特有の情報、例えば、ユーザの下りリンクデータが置かれる時間周波数リソース位置、又はユーザの下りリンクデータのために使用される送信モードを示してもよく、あるいは、全てのユーザのいくつかの共通情報、例えば、システム情報、ページング情報、又はランダムアクセス応答を示してもよい。
【０００３】
各ユーザの下りリンクデータの時間周波数リソース位置は、ＰＤＣＣＨ上で搬送されるＤＣＩによって示され得る。しかしながら、ＰＤＣＣＨの位置を示す情報はない。したがって、各ユーザは、ＰＤＣＣＨの位置に対してブラインド検出を実行する必要がある。ＰＤＣＣＨが置かれ得る時間周波数リソース位置のセットは、サーチセクションと呼ばれる。各々の可能な時間周波数リソース位置は、サーチセクション内の候補と呼ばれる。各ユーザは、サーチセクション内の全ての候補を検出する。ユーザのＰＤＣＣＨが検出された後、ユーザは、ユーザのＤＣＩを取得して制御情報を取得する。
【０００４】
サーチセクションは、共用（communal）サーチセクションとユーザ特有（user  specific）サーチセクションとに分類され得る。共用サーチセクション内のＰＤＣＣＨで搬送されるＤＣＩは、最初の段落で説明したように、全てのユーザの共通情報を示すために使用される。ユーザ特有サーチセクション内のＰＤＣＣＨで搬送されるＤＣＩは、最初の段落で説明したように、各ユーザに特有の情報を示すために使用される。
【０００５】
擬似コロケーション（quasi-co-located、ＱＣＬ）関連づけは、少なくとも２つのアンテナポートを関連づけるために使用される。２つのアンテナポートがＱＣＬ関連づけを有するように構成されるとき、２つのポートから同じユーザへのチャネルは、いくつかの同じ大規模パラメータ、例えば、遅延スプレッド、ドップラースプレッド、ドップラー周波数シフト、平均遅延、平均チャネル到達角度、チャネル到達角度スプレッド、平均チャネル出発角度、及びチャネル出発角度スプレッドを有する。ポートのうち一方における参照信号に基づいてユーザにより推定された前述のパラメータは、ユーザが参照信号を使用することにより他方のポート上でチャネル推定を実行するときに使用されるチャネル補間アルゴリズムにおいて使用され得る。
【０００６】
共用サーチセクション及びユーザ特有サーチセクション内の候補に対してブラインド検出を実行するとき、ユーザは、復調参照信号（Demodulation  Reference  Signal、ＤＭＲＳ）を各候補のＤＭＲＳポート上で使用することによりチャネル推定を実行する必要がある。チャネル推定において使用される補間パラメータ（例えば、遅延スプレッド、ドップラースプレッド、ドップラー周波数シフト、及び平均遅延）は、ＤＭＲＳポートとのＱＣＬ関連づけを有するチャネル参照信号（Channel  Reference  Signal、ＣＲＳ）ポートによってこれらのパラメータを測定することにより取得される。しかしながら、次世代無線通信システムでは、過度の時間周波数リソースが占有されるため、ＣＲＳ参照信号はサポートされない。したがって、参照信号がＰＤＣＣＨ内のＤＭＲＳポートとのＱＣＬ関連づけを有するポートは習得できない。その結果、ＰＤＣＣＨで適切なチャネル推定が実行できず、ＤＣＩ検出性能が劣化する。
【発明の概要】
【０００７】
本願の実施形態は、無線通信方法、端末デバイス、及びネットワークデバイスを提供する。異なるタイプのパイロット信号が、制御チャネルに対するブラインド検出の間のチャネル推定問題を解決するために、下りリンク制御チャネルの共用サーチセクション及び／又は下りリンク制御チャネルのユーザ特有サーチセクション内のＤＭＲＳとのＱＣＬ関連づけを有する。
【０００８】
第１の態様によれば、無線通信方法が提供され、当該方法は、端末デバイスにより、制御チャネルの複数のサーチセクションのうち少なくとも１つに対応するパイロット信号を決定するステップであり、少なくとも１つのサーチセクションの各々に対応するパイロット信号は各サーチセクション内の制御チャネル候補の復調パイロットとの擬似コロケーションＱＣＬ関連づけを有し、複数のサーチセクションの中の異なるサーチセクションは異なるタイプのパイロット信号に対応する、ステップと、端末デバイスにより、各サーチセクションに対応するパイロット信号と各サーチセクション内の制御チャネル候補の復調パイロットとの間のＱＣＬ関連づけに基づいて少なくとも１つのサーチセクション内の制御チャネル候補を検出するステップと、を含む。
【０００９】
任意選択で、制御チャネルの複数のサーチセクションは、共用サーチセクション及びユーザ特有サーチセクションであってよい。
【００１０】
したがって、本願の本実施形態において、異なるサーチセクション内の制御チャネル候補の復調パイロットは異なるタイプのパイロット信号との擬似コロケーションＱＣＬ関連づけを有し、端末デバイスは、複数のサーチセクションの各々の中の制御チャネル候補の復調パイロットとの擬似コロケーションＱＣＬ関連づけを有するパイロット信号を使用することにより複数のサーチセクション内の制御チャネル候補を検出し、それにより、制御チャネルのブラインド検出の間のチャネル推定補間問題を解決する。
【００１１】
任意選択で、第１の態様の一実装において、複数のサーチセクションは共用サーチセクションを含み、共用サーチセクションに対応するパイロット信号は第１のタイプのパイロット信号であり、
第１のタイプのパイロット信号は、以下の信号、すなわち、同期信号、報知チャネルの復調パイロット、及びビーム測定パイロット、のうち少なくとも１つである。
【００１２】
したがって、本願の本実施形態において、制御チャネルの共用サーチセクション内の候補のＤＭＲＳが第１のタイプのパイロット信号（同期信号、報知チャネルの復調パイロット、及びビーム測定パイロット）とのＱＣＬ関連づけを有することが定義され、それにより、ＣＲＳなしでの共用サーチセクション内の候補に対するブラインド検出の間のチャネル推定補間問題を解決する。
【００１３】
任意選択で、第１の態様の一実装において、当該方法は、
端末デバイスにより、ランダムアクセスプリアンブルをネットワークデバイスに送出するステップと、
ネットワークデバイスにより送出され、かつランダムアクセスプリアンブルに対応するランダムアクセス応答を受信するステップと、
をさらに含み、
端末デバイスにより、制御チャネルの複数のサーチセクションのうち少なくとも１つに対応するパイロット信号を決定するステップは、
端末デバイスにより送出されたランダムアクセスプリアンブルに関連づけられた第１のパイロット信号を、共用サーチセクションに対応するパイロット信号として決定するステップであり、第１のパイロット信号は第１のタイプのパイロット信号である、ステップ、
を含む。
【００１４】
任意選択で、第１の態様の一実装において、
端末デバイスにより送出されたランダムアクセスプリアンブルに関連づけられた第１のパイロット信号を、共用サーチセクションに対応するパイロット信号として決定するステップの前に、当該方法は、
端末デバイスにより、端末デバイスにより送出されたランダムアクセスプリアンブルと、ランダムアクセスプリアンブル及び第１のタイプのパイロット信号の間の対応関係とに基づいて、第１のパイロット信号を決定するステップであり、異なるランダムアクセスプリアンブルは第１のタイプのパイロット信号の異なるシーケンスに対応する、ステップ、又は
端末デバイスにより、端末デバイスにより送出されたランダムアクセスプリアンブルと、ランダムアクセスプリアンブル及び第１のタイプのパイロット信号の時間周波数リソースの間の対応関係とに基づいて、第１のパイロット信号を決定するステップであり、異なるランダムアクセスプリアンブルは第１のタイプのパイロット信号の異なる時間周波数リソースに対応する、ステップ、又は
端末デバイスにより、端末デバイスにより送出されたランダムアクセスプリアンブルの時間周波数リソースと、ランダムアクセスプリアンブルの時間周波数リソース及び第１のタイプのパイロット信号の間の対応関係とに基づいて、第１のパイロット信号を決定するステップであり、ランダムアクセスプリアンブルの時間周波数リソース及び第１のタイプのパイロット信号の間の対応関係は、ランダムアクセスプリアンブルの異なる時間周波数リソースが第１のタイプのパイロット信号の異なるシーケンスに対応することである、ステップ、又は
端末デバイスにより、端末デバイスにより送出されたランダムアクセスプリアンブルの時間周波数リソースと、ランダムアクセスプリアンブルの時間周波数リソース及び第１のタイプのパイロット信号の時間周波数リソースの間の対応関係とに基づいて、第１のパイロット信号を決定するステップであり、ランダムアクセスプリアンブルの異なる時間周波数リソースは第１のパイロット信号の異なる時間周波数リソースに対応する、ステップ
をさらに含む。
【００１５】
任意選択で、第１の態様の一実装において、当該方法は、
端末デバイスにより、第１のタイプの少なくとも２つの異なるパイロット信号をリッスンするステップと、
第１のタイプの少なくとも２つの異なるパイロット信号から第１のパイロット信号を選択するステップと、
をさらに含み、
端末デバイスにより送出されたランダムアクセスプリアンブルは第１のパイロット信号の識別子を搬送し、
端末デバイスにより送出されたランダムアクセスプリアンブルに関連づけられた第１のパイロット信号を、共用サーチセクションに対応するパイロット信号として決定するステップは、
端末デバイスにより、第１のパイロット信号の識別子に基づいて、第１のパイロット信号の識別子を有する第１のパイロット信号を共用サーチセクションに対応するパイロット信号として決定するステップ
を含む。
【００１６】
任意選択で、第１の態様の一実装において、第１のタイプの少なくとも２つの異なるパイロット信号は異なる送信ビームにより送出され、
端末デバイスにより送出されたランダムアクセスプリアンブルに関連づけられた第１のパイロット信号を、共用サーチセクションに対応するパイロット信号として決定するステップは、
端末デバイスにより、第１のパイロット信号の識別子に基づいて、識別子を有する第１のパイロット信号を送出するためのビームをリッスンすることを通じて取得される第１のタイプのパイロット信号を、共用サーチセクションに対応するパイロット信号として決定するステップ
を含む。
【００１７】
任意選択で、第１の態様の一実装において、端末デバイスは、第１の信号を送出するためのビームと第１の信号に対応する制御チャネル候補を送出するためのビームとが同じビームであると決定し、第１の信号は第１のタイプのパイロット信号であり、
端末デバイスにより、制御チャネルの複数のサーチセクションの各々に対応するパイロット信号を決定するステップは、
制御チャネル候補と同じ送信ビームを有する第１の信号を、共用サーチセクションに対応するパイロット信号として決定するステップ
を含む。
【００１８】
任意選択で、第１の態様の一実装において、共用サーチセクションは、ランダムアクセス応答をスケジュールするための制御チャネル候補を含む。
【００１９】
任意選択で、第１の態様の一実装において、複数のサーチセクションはユーザ特有サーチセクションを含み、
ユーザ特有サーチセクションに対応するパイロット信号は第２のタイプのパイロット信号であり、第２のタイプのパイロット信号はＣＳＩ‐ＲＳである。
【００２０】
したがって、本願の本実施形態において、制御チャネルのユーザ特有サーチセクション内の候補のＤＭＲＳが第２のタイプのパイロット信号（ＣＳＩ‐ＲＳ）とのＱＣＬ関連づけを有することが定義され、それにより、ＣＲＳなしでのユーザ特有サーチセクション内の候補に対する端末デバイスによるブラインド検出の間のチャネル推定問題を解決する。
【００２１】
任意選択で、第１の態様の一実装において、端末デバイスにより、制御チャネルの複数のサーチセクションのうち少なくとも１つに対応するパイロット信号を決定するステップは、
ユーザ特有サーチセクションの合計Ｍ個の制御チャネル候補及びＮ個の送信ビームの間の第１の対応関係と、Ｎ個の送信ビーム及び第２のタイプのＮ個のパイロット信号の間の第２の対応関係とに基づいて、Ｍ個の制御チャネル候補とのＱＣＬ関連づけをそれぞれ有する第２のタイプのパイロット信号を決定するステップであり、Ｍ及びＮは２以上の整数である、ステップ、
を含み、
第１の対応関係は、Ｎ個のビームのビーム識別子ｎに基づいて、ビーム識別子ｎに対応する制御チャネル候補セットのリソース位置｛Ｃｎｉ｝、０＜ｉ≦Ｓｎを決定するものであり、Ｓｎは、ビーム識別子ｎに対応する制御チャネル候補の数であり、Ｃｎｉは、ビーム識別子ｎに対応する第ｉの制御チャネル候補の識別子であり、第２の対応関係は、Ｎ個の送信ビームを使用することにより第２のタイプのＮ個のパイロット信号を送出するものであり、Ｎ個の送信ビームの中の異なる送信ビームを使用することにより送出される第２のタイプのパイロット信号は互いに異なる。
【００２２】
任意選択で、第１の態様の一実装において、端末デバイスにより、制御チャネルの複数のサーチセクションのうち少なくとも１つに対応するパイロット信号を決定するステップは、
ユーザ特有サーチセクションの合計Ｍ個の制御チャネル候補、Ｎ個の送信ビーム、及び端末デバイスのＩＤの間の第３の対応関係と、Ｎ個の送信ビーム及び第２のタイプのＮ個のパイロット信号の間の第２の対応関係とに基づいて、Ｍ個の制御チャネル候補とのＱＣＬ関連づけをそれぞれ有する第２のタイプのパイロット信号を決定するステップであり、Ｍ及びＮは２以上の整数である、ステップ
を含み、
第２の対応関係は、Ｎ個の送信ビームを使用することにより第２のタイプのＮ個のパイロット信号を送出するものであり、Ｎ個の送信ビームの中の異なる送信ビームを使用することにより送出される第２のタイプのパイロット信号は互いに異なり、第３の対応関係は、ビーム識別子及び端末デバイスのＩＤ情報に連帯的に基づいて、各ビームに対応する制御チャネル候補セットのリソース位置｛Ｃｎｉ｝、０＜ｉ≦Ｓｎを決定するものであり、Ｓｎは、ビーム識別子ｎに対応する制御チャネル候補の数であり、Ｃｎｉは、ビーム識別子ｎに対応する第ｉの制御チャネル候補の識別子である。
【００２３】
任意選択で、第１の態様の一実装において、端末デバイスにより、制御チャネルの複数のサーチセクションのうち少なくとも１つに対応するパイロット信号を決定するステップは、
ユーザ特有サーチセクションの合計Ｍ個の制御チャネル候補及び第２のタイプのＮ個のパイロット信号の間の第４の対応関係に基づいて、Ｍ個の制御チャネル候補とのＱＣＬ関連づけをそれぞれ有する第２のタイプのパイロット信号を決定するステップであり、Ｍ及びＮは２以上の整数である、ステップ
を含み、
第４の対応関係は、第２のタイプのＮ個のパイロット信号の識別子ｎに基づいて、識別子ｎに対応する制御チャネル候補セットのリソース位置｛Ｃｎｉ｝、０＜ｉ≦Ｓｎを決定するものであり、Ｓｎは、第２のタイプのパイロット信号の識別子ｎに対応する制御チャネル候補の数であり、Ｃｎｉは、第２のタイプのパイロット信号の識別子ｎに対応する第ｉの制御チャネル候補の識別子である。
【００２４】
任意選択で、第１の態様の一実装において、Ｎ個の送信ビームの中の同じビームに対応するＳｎ個の制御チャネル候補は第２のタイプの同じパイロット信号とのＱＣＬ関連づけを有し、
第１の対応関係におけるビーム識別子ｎに対応するＳｎ個の制御チャネル候補の復調パイロットは、第２の対応関係におけるビームｎに対応するビームを使用することにより送出される第２のタイプのパイロットとのＱＣＬ関連づけを有し、あるいは
第３の対応関係におけるビーム識別子ｎ及び端末デバイスのＩＤ情報に対応するＳｎ個の制御チャネル候補の復調パイロットは、第２の対応関係におけるビームｎに対応するビームを使用することにより送出される第２のタイプのパイロットとのＱＣＬ関連づけを有する。
【００２５】
任意選択で、第１の態様の一実装において、端末デバイスにより、制御チャネルの複数のサーチセクションのうち少なくとも１つに対応するパイロット信号を決定するステップは、
ユーザ特有サーチセクションの合計Ｍ個の制御チャネル候補及びＮ個のビームペアの間の第１の対応関係と、Ｎ個のビームペア及び第２のタイプのＮ個のパイロット信号の間の第２の対応関係とに基づいて、Ｍ個の制御チャネル候補とのＱＣＬ関連づけをそれぞれ有する第２のタイプのパイロット信号を決定するステップであり、Ｍ及びＮは２以上の整数である、ステップ
を含み、
Ｎ個のビームペアの各々は送信ビーム及び受信ビームを含み、送信ビームはネットワークデバイスの送信ビームであり、受信ビームは端末デバイスの受信ビームであり、
第１の対応関係は、Ｎ個のビームペアのビームペア識別子ｎに基づいて、ビームペア識別子ｎに対応する制御チャネル候補セットのリソース位置｛Ｃｎｉ｝、０＜ｉ≦Ｓｎを決定するものであり、Ｓｎは、ビームペア識別子ｎに対応する制御チャネル候補の数であり、Ｃｎｉは、ビームペア識別子ｎに対応する第ｉの制御チャネル候補の識別子であり、第２の対応関係は、ネットワークデバイスにより、Ｎ個のビームペアの中の送信ビームを使用することにより第２のタイプのＮ個のパイロット信号を送出し、端末デバイスにより、Ｎ個のビームペアの中の受信ビームを使用することにより第２のタイプのＮ個のパイロット信号を受信するものであり、Ｎ個のビームペアの中の異なるビームペアを使用することにより送受信される第２のタイプのパイロット信号は互いに異なり、第２のタイプの各パイロット信号を送出するためのビームと第２のタイプのパイロット信号を受信するためのビームとは、それぞれ、同じビームペアにおける送信ビーム及び受信ビームである。
【００２６】
任意選択で、第１の態様の一実装において、端末デバイスにより、制御チャネルの複数のサーチセクションのうち少なくとも１つに対応するパイロット信号を決定するステップは、
ユーザ特有サーチセクションの合計Ｍ個の制御チャネル候補、Ｎ個のビームペア、及び端末デバイスのＩＤの間の第３の対応関係と、Ｎ個のビームペア及び第２のタイプのＮ個のパイロット信号の間の第２の対応関係とに基づいて、Ｍ個の制御チャネル候補とのＱＣＬ関連づけをそれぞれ有する第２のタイプのパイロット信号を決定するステップであり、Ｍ及びＮは２以上の整数である、ステップ
を含み、
Ｎ個のビームペアの各々は送信ビーム及び受信ビームを含み、送信ビームはネットワークデバイスの送信ビームであり、受信ビームは端末デバイスの受信ビームであり、
第２の対応関係は、ネットワークデバイスにより、Ｎ個のビームペアの中の送信ビームを使用することにより第２のタイプのＮ個のパイロット信号を送出し、端末デバイスにより、Ｎ個のビームペアの中の受信ビームを使用することにより第２のタイプのＮ個のパイロット信号を受信するものであり、Ｎ個のビームペアの中の異なるビームペアを使用することにより送受信される第２のタイプのパイロット信号は互いに異なり、第２のタイプの各パイロット信号を送出するためのビームと第２のタイプのパイロット信号を受信するためのビームとは、それぞれ、同じビームペアにおける送信ビーム及び受信ビームであり、第３の対応関係は、ビームペア識別子及び端末デバイスのＩＤ情報に連帯的に基づいて、各ビームペアに対応する制御チャネル候補セットのリソース位置｛Ｃｎｉ｝、０＜ｉ≦Ｓｎを決定するものであり、Ｓｎは、ビームペア識別子ｎに対応する制御チャネル候補の数であり、Ｃｎｉは、ビーム識別子ｎに対応する第ｉの制御チャネル候補の識別子である。
【００２７】
任意選択で、第１の態様の一実装において、Ｎ個のビームペアの中の同じビームペアに対応するＳｎ個の制御チャネル候補は、第２のタイプの同じパイロット信号とのＱＣＬ関連づけを有し、
第１の対応関係におけるビームペア識別子ｎに対応するＳｎ個の制御チャネル候補の復調パイロットは、第２の対応関係におけるビームペアｎに対応する、第２のタイプのパイロットとのＱＣＬ関連づけを有し、あるいは、
第３の対応関係におけるビームペア識別子ｎ及び端末デバイスのＩＤ情報に対応するＳｎ個の制御チャネル候補の復調パイロットは、第２の対応関係におけるビームペアｎに対応するビームを使用することにより送出される第２のタイプのパイロットとのＱＣＬ関連づけを有する。
【００２８】
任意選択で、第１の態様の一実装において、当該方法は、
上位層シグナリングを使用することによりネットワークデバイスにより送出された指示情報を受信するステップであり、指示情報は、以下の情報、すなわち、Ｎ個の送信ビームのビーム識別子、Ｎ個のビームペアのビーム識別子、及び第４の対応関係、のうち少なくとも１つのタイプを示すために使用される、ステップ
をさらに含む。
【００２９】
任意選択で、第１の態様の一実装において、第１の対応関係及び第３の対応関係は予め設定されてよく、端末デバイスは予め設定された対応関係を直接取得してよい。
【００３０】
したがって、本願の本実施形態において、端末デバイスは、ネットワークデバイスが構成を通じて、異なるユーザ特有サーチセクションが異なる送信ビームに対応し、異なるユーザ特有サーチセクション内の候補のＤＭＲＳが異なるＣＳＩ‐ＲＳとのＱＣＬ関連づけを有することを可能にすることを習得し、それにより、ＣＲＳなしでのユーザ特有サーチセクション内の候補に対する端末デバイスによるブラインド検出の間のチャネル推定問題を解決する。
【００３１】
第２の態様によれば、無線通信方法が提供され、当該方法は、ネットワークデバイスにより、制御チャネルの複数のサーチセクションのうち少なくとも１つに対応するパイロット信号を決定するステップであり、少なくとも１つのサーチセクションの各々に対応するパイロット信号は各サーチセクション内の制御チャネル候補の復調パイロットとの擬似コロケーションＱＣＬ関連づけを有し、複数のサーチセクションの中の異なるサーチセクションは異なるタイプのパイロット信号に対応する、ステップと、
ネットワークデバイスにより、制御チャネルの複数のサーチセクションのうち少なくとも１つに対応するパイロット信号を送出するステップと、
を含む。
【００３２】
任意選択で、、制御チャネルの複数のサーチセクションは、共用サーチセクション及びユーザ特有サーチセクションであってよい。
【００３３】
したがって、本願の本実施形態において、ネットワークデバイスは、構成を通じて、異なるサーチセクション内の制御チャネル候補の復調パイロットが異なるタイプのパイロット信号との擬似コロケーションＱＣＬ関連づけを有することを可能にする。
【００３４】
任意選択で、第２の態様の一実装において、複数のサーチセクションは共用サーチセクションを含み、共用サーチセクションに対応するパイロット信号は第１のタイプのパイロット信号であり、
第１のタイプのパイロット信号は、以下の信号、すなわち、同期信号、報知チャネルの復調パイロット、及びビーム測定パイロット、のうち少なくとも１つである。
【００３５】
したがって、本願の本実施形態において、制御チャネルの共用サーチセクション内の候補のＤＭＲＳが第１のタイプのパイロット信号（同期信号、報知チャネルの復調パイロット、及びビーム測定パイロット）とのＱＣＬ関連づけを有することが定義され、それにより、ＣＲＳなしでの共用サーチセクション内の候補に対するブラインド検出の間のチャネル推定問題を解決する。
【００３６】
任意選択で、第２の態様の一実装において、当該方法は、
ネットワークデバイスにより、端末デバイスにより送出されたランダムアクセスプリアンブルを受信するステップと、
ネットワークデバイスにより、端末デバイスに対してランダムアクセスプリアンブルに対応するランダムアクセス応答を送出するステップと、
をさらに含み、
ネットワークデバイスにより、制御チャネルの複数のサーチセクションのうち少なくとも１つに対応するパイロット信号を決定するステップは、
ネットワークデバイスにより受信されたランダムアクセスプリアンブルに関連づけられた第１のパイロット信号を、共用サーチセクションに対応するパイロット信号として決定するステップであり、第１のパイロット信号は第１のタイプのパイロット信号である、ステップ
を含む。
【００３７】
任意選択で、第２の態様の一実装において、ネットワークデバイスにより受信されたランダムアクセスプリアンブルに関連づけられた第１のパイロット信号を、共用サーチセクションに対応するパイロット信号として決定するステップの前に、当該方法は、
ネットワークデバイスにより、ネットワークデバイスにより受信されたランダムアクセスプリアンブルと、ランダムアクセスプリアンブル及び第１のタイプのパイロット信号の間の対応関係とに基づいて、第１のパイロット信号を決定するステップであり、異なるランダムアクセスプリアンブルは第１のタイプのパイロット信号の異なるシーケンスに対応する、ステップ、又は、
端末デバイスにより、端末デバイスにより送出されたランダムアクセスプリアンブルと、ランダムアクセスプリアンブル及び第１のタイプのパイロット信号の時間周波数リソースの間の対応関係とに基づいて、第１のパイロット信号を決定するステップであり、異なるランダムアクセスプリアンブルは第１のタイプのパイロット信号の異なる時間周波数リソースに対応する、ステップ、又は
ネットワークデバイスにより、ネットワークデバイスにより受信されたランダムアクセスプリアンブルの時間周波数リソースと、ランダムアクセスプリアンブルの時間周波数リソース及び第１のタイプのパイロット信号の間の対応関係とに基づいて、第１のパイロット信号を決定するステップであり、ランダムアクセスプリアンブルの時間周波数リソース及び第１のタイプのパイロット信号の間の対応関係は、ランダムアクセスプリアンブルの異なる時間周波数リソースが第１のタイプのパイロット信号の異なるシーケンスに対応することである、ステップ、又は
ネットワークデバイスにより、ネットワークデバイスにより受信されたランダムアクセスプリアンブルの時間周波数リソースと、ランダムアクセスプリアンブルの時間周波数リソース及び第１のタイプのパイロット信号の時間周波数リソースの間の対応関係とに基づいて、第１のパイロット信号を決定するステップであり、ランダムアクセスプリアンブルの異なる時間周波数リソースは第１のパイロット信号の異なる時間周波数リソースに対応する、ステップ
をさらに含む。
【００３８】
任意選択で、第２の態様の一実装において、当該方法は、
ネットワークデバイスにより、第１のタイプの少なくとも２つの異なるパイロット信号を送出するステップと、
第１のタイプの少なくとも２つの異なるパイロット信号から第１のパイロット信号を選択するステップと、
をさらに含み、
ネットワークデバイスにより受信されたランダムアクセスプリアンブルは第１のパイロット信号の識別子を搬送し、
ネットワークデバイスにより受信されたランダムアクセスプリアンブルに関連づけられた第１のパイロット信号を、共用サーチセクションに対応するパイロット信号として決定するステップは、
ネットワークデバイスにより、第１のパイロット信号の識別子に基づいて、識別子を有する第１のパイロット信号を、共用サーチセクションに対応するパイロット信号として決定するステップ
を含む。
【００３９】
任意選択で、第２の態様の一実装において、第１のタイプの少なくとも２つの異なるパイロット信号は異なる送信ビームにより送出され、
ネットワークデバイスにより受信されたランダムアクセスプリアンブルに関連づけられた第１のパイロット信号を、共用サーチセクションに対応するパイロット信号として決定するステップは、
ネットワークデバイスにより、第１のパイロット信号の識別子に基づいて、識別子を有する第１のパイロット信号を送出するためのビームをリッスンすることを通じて取得される第１のタイプのパイロット信号を、共用サーチセクションに対応するパイロット信号として決定するステップ
を含む。
【００４０】
任意選択で、第２の態様の一実装において、ネットワークデバイスは、第１の信号を送出するためのビームと第１の信号に対応する制御チャネル候補を送出するためのビームとが同じビームであると決定し、第１の信号は第１のタイプのパイロット信号であり、
ネットワークデバイスにより、制御チャネルの複数のサーチセクションの各々に対応するパイロット信号を決定するステップは、
制御チャネル候補と同じ送信ビームを有する第１の信号を、共用サーチセクションに対応するパイロット信号として決定するステップ
を含む。
【００４１】
任意選択で、第２の態様の一実装において、共用サーチセクションは、ランダムアクセス応答をスケジュールするための制御チャネル候補を含む。
【００４２】
任意選択で、第２の態様の一実装において、複数のサーチセクションはユーザ特有サーチセクションを含み、
ユーザ特有サーチセクションに対応するパイロット信号は第２のタイプのパイロット信号であり、第２のタイプのパイロット信号はＣＳＩ‐ＲＳである。
【００４３】
したがって、本願の本実施形態において、制御チャネルのユーザ特有サーチセクション内の候補のＤＭＲＳが第２のタイプのパイロット信号（ＣＳＩ‐ＲＳ）とのＱＣＬ関連づけを有することが定義され、それにより、ＣＲＳなしでのユーザ特有サーチセクション内の候補に対する端末デバイスによるブラインド検出の間のチャネル推定問題を解決する。
【００４４】
任意選択で、第２の態様の一実装において、ネットワークデバイスにより、制御チャネルの複数のサーチセクションのうち少なくとも１つに対応するパイロット信号を決定するステップは、
ユーザ特有サーチセクションの合計Ｍ個の制御チャネル候補及びＮ個の送信ビームの間の第１の対応関係と、Ｎ個の送信ビーム及び第２のタイプのＮ個のパイロット信号の間の第２の対応関係とに基づいて、Ｍ個の制御チャネル候補とのＱＣＬ関連づけをそれぞれ有する第２のタイプのパイロット信号を決定するステップであり、Ｍ及びＮは２以上の整数である、ステップ、
を含み、
第１の対応関係は、Ｎ個のビームのビーム識別子ｎに基づいて、ビーム識別子ｎに対応する制御チャネル候補セットのリソース位置｛Ｃｎｉ｝、０＜ｉ≦Ｓｎを決定するものであり、Ｓｎは、ビーム識別子ｎに対応する制御チャネル候補の数であり、Ｃｎｉは、ビーム識別子ｎに対応する第ｉの制御チャネル候補の識別子であり、第２の対応関係は、Ｎ個の送信ビームを使用することにより第２のタイプのＮ個のパイロット信号を送出するものであり、Ｎ個の送信ビームの中の異なる送信ビームを使用することにより送出される第２のタイプのパイロット信号は互いに異なる。
【００４５】
任意選択で、第２の態様の一実装において、ネットワークデバイスにより、制御チャネルの複数のサーチセクションのうち少なくとも１つに対応するパイロット信号を決定するステップは、
ユーザ特有サーチセクションの合計Ｍ個の制御チャネル候補、Ｎ個の送信ビーム、及び端末デバイスのＩＤの間の第３の対応関係と、Ｎ個の送信ビーム及び第２のタイプのＮ個のパイロット信号の間の第２の対応関係とに基づいて、Ｍ個の制御チャネル候補とのＱＣＬ関連づけをそれぞれ有する第２のタイプのパイロット信号を決定するステップであり、Ｍ及びＮは２以上の整数である、ステップ
を含み、
第２の対応関係は、Ｎ個の送信ビームを使用することにより第２のタイプのＮ個のパイロット信号を送出するものであり、Ｎ個の送信ビームの中の異なる送信ビームを使用することにより送出される第２のタイプのパイロット信号は互いに異なり、第３の対応関係は、ビーム識別子及び端末デバイスのＩＤ情報に連帯的に基づいて、各ビームに対応する制御チャネル候補セットのリソース位置｛Ｃｎｉ｝、０＜ｉ≦Ｓｎを決定するものであり、Ｓｎは、ビーム識別子ｎに対応する制御チャネル候補の数であり、Ｃｎｉは、ビーム識別子ｎに対応する第ｉの制御チャネル候補の識別子である。
【００４６】
任意選択で、第２の態様の一実装において、ネットワークデバイスにより、制御チャネルの複数のサーチセクションのうち少なくとも１つに対応するパイロット信号を決定するステップは、
ユーザ特有サーチセクションの合計Ｍ個の制御チャネル候補及び第２のタイプのＮ個のパイロット信号の間の第４の対応関係に基づいて、Ｍ個の制御チャネル候補とのＱＣＬ関連づけをそれぞれ有する第２のタイプのパイロット信号を決定するステップであり、Ｍ及びＮは２以上の整数である、ステップ
を含み、
第４の対応関係は、第２のタイプのＮ個のパイロット信号の識別子ｎに基づいて、識別子ｎに対応する制御チャネル候補セットのリソース位置｛Ｃｎｉ｝、０＜ｉ≦Ｓｎを決定するものであり、Ｓｎは、第２のタイプのパイロット信号の識別子ｎに対応する制御チャネル候補の数であり、Ｃｎｉは、第２のタイプのパイロット信号の識別子ｎに対応する第ｉの制御チャネル候補の識別子である。
【００４７】
任意選択で、第２の態様の一実装において、Ｎ個の送信ビームの中の同じビームに対応するＳｎ個の制御チャネル候補は第２のタイプの同じパイロット信号とのＱＣＬ関連づけを有し、
第１の対応関係におけるビーム識別子ｎに対応するＳｎ個の制御チャネル候補の復調パイロットは、第２の対応関係におけるビームｎに対応するビームを使用することにより送出される第２のタイプのパイロットとのＱＣＬ関連づけを有し、あるいは
第３の対応関係におけるビーム識別子ｎ及び端末デバイスのＩＤ情報に対応するＳｎ個の制御チャネル候補の復調パイロットは、第２の対応関係におけるビームｎに対応するビームを使用することにより送出される第２のタイプのパイロットとのＱＣＬ関連づけを有する。
【００４８】
任意選択で、第２の態様の一実装において、ネットワークデバイスにより、制御チャネルの複数のサーチセクションのうち少なくとも１つに対応するパイロット信号を決定するステップは、
ユーザ特有サーチセクションの合計Ｍ個の制御チャネル候補及びＮ個のビームペアの間の第１の対応関係と、Ｎ個のビームペア及び第２のタイプのＮ個のパイロット信号の間の第２の対応関係とに基づいて、Ｍ個の制御チャネル候補とのＱＣＬ関連づけをそれぞれ有する第２のタイプのパイロット信号を決定するステップであり、Ｍ及びＮは２以上の整数である、ステップ
を含み、
Ｎ個のビームペアの各々は送信ビーム及び受信ビームを含み、送信ビームはネットワークデバイスの送信ビームであり、受信ビームは端末デバイスの受信ビームであり、
第１の対応関係は、Ｎ個のビームペアのビームペア識別子ｎに基づいて、ビームペア識別子ｎに対応する制御チャネル候補セットのリソース位置｛Ｃｎｉ｝、０＜ｉ≦Ｓｎを決定するものであり、Ｓｎは、ビームペア識別子ｎに対応する制御チャネル候補の数であり、Ｃｎｉは、ビームペア識別子ｎに対応する第ｉの制御チャネル候補の識別子であり、第２の対応関係は、ネットワークデバイスにより、Ｎ個のビームペアの中の送信ビームを使用することにより第２のタイプのＮ個のパイロット信号を送出し、端末デバイスにより、Ｎ個のビームペアの中の受信ビームを使用することにより第２のタイプのＮ個のパイロット信号を受信するものであり、Ｎ個のビームペアの中の異なるビームペアを使用することにより送受信される第２のタイプのパイロット信号は互いに異なり、第２のタイプの各パイロット信号を送出するためのビームと第２のタイプのパイロット信号を受信するためのビームとは、それぞれ、同じビームペアにおける送信ビーム及び受信ビームである。
【００４９】
任意選択で、第２の態様の一実装において、ネットワークデバイスにより、制御チャネルの複数のサーチセクションのうち少なくとも１つに対応するパイロット信号を決定するステップは、
ユーザ特有サーチセクションの合計Ｍ個の制御チャネル候補、Ｎ個のビームペア、及び端末デバイスのＩＤの間の第３の対応関係と、Ｎ個のビームペア及び第２のタイプのＮ個のパイロット信号の間の第２の対応関係とに基づいて、Ｍ個の制御チャネル候補とのＱＣＬ関連づけをそれぞれ有する第２のタイプのパイロット信号を決定するステップであり、Ｍ及びＮは２以上の整数である、ステップ
を含み、
Ｎ個のビームペアの各々は送信ビーム及び受信ビームを含み、送信ビームはネットワークデバイスの送信ビームであり、受信ビームは端末デバイスの受信ビームであり、
第２の対応関係は、ネットワークデバイスにより、Ｎ個のビームペアの中の送信ビームを使用することにより第２のタイプのＮ個のパイロット信号を送出し、端末デバイスにより、Ｎ個のビームペアの中の受信ビームを使用することにより第２のタイプのＮ個のパイロット信号を受信するものであり、Ｎ個のビームペアの中の異なるビームペアを使用することにより送受信される第２のタイプのパイロット信号は互いに異なり、第２のタイプの各パイロット信号を送出するためのビームと第２のタイプのパイロット信号を受信するためのビームとは、それぞれ、同じビームペアにおける送信ビーム及び受信ビームであり、第３の対応関係は、ビームペア識別子及び端末デバイスのＩＤ情報に連帯的に基づいて、各ビームペアに対応する制御チャネル候補セットのリソース位置｛Ｃｎｉ｝、０＜ｉ≦Ｓｎを決定するものであり、Ｓｎは、ビームペア識別子ｎに対応する制御チャネル候補の数であり、Ｃｎｉは、ビーム識別子ｎに対応する第ｉの制御チャネル候補の識別子である。
【００５０】
任意選択で、第２の態様の一実装において、Ｎ個のビームペアの中の同じビームペアに対応するＳｎ個の制御チャネル候補は、第２のタイプの同じパイロット信号とのＱＣＬ関連づけを有し、
第１の対応関係におけるビームペア識別子ｎに対応するＳｎ個の制御チャネル候補の復調パイロットは、第２の対応関係におけるビームペアｎに対応する、第２のタイプのパイロットとのＱＣＬ関連づけを有し、あるいは、
第３の対応関係におけるビームペア識別子ｎ及び端末デバイスのＩＤ情報に対応するＳｎ個の制御チャネル候補の復調パイロットは、第２の対応関係におけるビームペアｎに対応するビームを使用することにより送出される第２のタイプのパイロットとのＱＣＬ関連づけを有する。
【００５１】
任意選択で、第２の態様の一実装において、当該方法は、
ネットワークデバイスにより、上位層シグナリングを使用することにより指示情報を送出するステップであり、指示情報は、以下の情報、すなわち、Ｎ個の送信ビームのビーム識別子、Ｎ個のビームペアのビーム識別子、第２の対応関係、及び第４の対応関係、のうち少なくとも１つのタイプを示すために使用される、ステップ
をさらに含む。
【００５２】
任意選択で、第２の態様の一実装において、第１の対応関係及び第３の対応関係は予め設定されてよく、端末デバイスは予め設定された対応関係を直接取得してよい。
【００５３】
したがって、本願の本実施形態において、ネットワークデバイスは、構成を通じて、異なるユーザ特有サーチセクションが異なる送信ビームに対応し、異なるユーザ特有サーチセクション内の候補のＤＭＲＳが異なるＣＳＩ‐ＲＳとのＱＣＬ関連づけを有することを可能にし、それにより、端末デバイスはＣＲＳなしで複数のユーザ特有サーチセクションにおいてブラインド検出を実行することができ、それにより、制御チャネルのブラインド検出の間のチャネル推定問題を解決する。
【００５４】
第３の態様によれば、本願の一実施形態は端末デバイスを提供し、当該端末デバイスは、第１の態様又は第１の態様のいずれかの任意の実装における方法を実行することができるモジュール又はユニットを含む。
【００５５】
第４の態様によれば、本願の一実施形態はネットワークデバイスを提供し、当該ネットワークデバイスは、第２の態様又は第２の態様のいずれかの任意の実装における方法を実行することができるモジュール又はユニットを含む。
【００５６】
第５の態様によれば、無線通信デバイスが提供され、当該デバイスは、メモリ、送受信機、及びプロセッサを含む。メモリは、第１の態様又は第１の態様のいずれかの任意の実装における方法を実行するよう命令するために使用できるプログラムコードを記憶する。コードが実行されたとき、プロセッサは、該方法において受信端デバイスにより実行される動作を実現することができる。
【００５７】
第６の態様によれば、無線通信デバイスが提供され、当該デバイスは、メモリ、送受信機、及びプロセッサを含む。メモリは、第２の態様又は第２の態様のいずれかの任意の実装における方法を実行するよう命令するために使用できるプログラムコードを記憶する。コードが実行されたとき、プロセッサは、該方法において送信端デバイスにより実行される動作を実現することができる。
【００５８】
第７の態様によれば、コンピュータ記憶媒体が提供される。コンピュータ記憶媒体はプログラムコードを記憶し、プログラムコードは、第１の態様又は第１の態様のいずれかの任意の実装における方法を実行するよう命令するために使用できる。
【００５９】
第８の態様によれば、コンピュータ記憶媒体が提供される。コンピュータ記憶媒体はプログラムコードを記憶し、プログラムコードは、第２の態様又は第２の態様のいずれかの任意の実装における方法を実行するよう命令するために使用できる。
【図面の簡単な説明】
【００６０】
【図１】本願による無線通信を使用した通信システムの概略図である。
【図２】本願の一実施形態による無線通信方法の概略フローチャートである。
【図３Ａ】図３Ａ及び図３Ｂは、本願の別の実施形態による無線通信方法の概略フローチャートである。
【図３Ｂ】図３Ａ及び図３Ｂは、本願の別の実施形態による無線通信方法の概略フローチャートである。
【図４】本願のさらに別の実施形態による無線通信方法の概略フローチャートである。
【図５Ａ】図５Ａ及び図５Ｂは、本願のさらに別の実施形態による無線通信方法の概略フローチャートである。
【図５Ｂ】図５Ａ及び図５Ｂは、本願のさらに別の実施形態による無線通信方法の概略フローチャートである。
【図６Ａ】図６Ａ及び図６Ｂは、本願のさらに別の実施形態による無線通信方法の概略フローチャートである。
【図６Ｂ】図６Ａ及び図６Ｂは、本願のさらに別の実施形態による無線通信方法の概略フローチャートである。
【図７】本願の一実施形態による無線通信のタイプの概略図である。
【図８】本願の一実施形態による別のタイプの無線通信の概略図である。
【図９】本願の一実施形態による端末デバイスの概略ブロック図である。
【図１０】本願の一実施形態によるネットワークデバイスの概略ブロック図である。
【図１１】本願の一実施形態による無線通信デバイスの概略ブロック図である。
【発明を実施するための形態】
【００６１】
添付の図面を参照して、本願の技術的解決策を以下に説明する。
【００６２】
図１は、本願による無線通信を使用した通信システムの概略図である。図１に示すように、通信システム１００はネットワークデバイス１０２を含む。ネットワークデバイス１０２は、複数のアンテナ、例えば、アンテナ１０４、１０６、１０８、１１０、１１２、及び１１４を含んでよい。さらに、ネットワークデバイス１０２は、送信機チェーン及び受信機チェーンをさらに含んでよい。当業者は、送信機チェーンが送信システム又は送信機であってよく、受信機チェーンが受信システム又は受信機であってよく、送信機チェーン及び受信機チェーンが各々、信号送出及び受信に関連する複数のコンポーネント（例えば、プロセッサ、変調器、マルチプレクサ、復調器、デマルチプレクサ、又はアンテナ）を含んでよいことを理解し得る。
【００６３】
ネットワークデバイス１０２は、複数の端末デバイス（例えば、端末デバイス１１６及び端末デバイス１２２）と通信し得る。しかしながら、ネットワークデバイス１０２は、端末デバイス１１６又は１２２と同様の任意数の端末デバイスと通信し得ることが理解され得る。端末デバイス１１６及び１２２は各々、例えば、セルラーフォン、スマートフォン、ポータブルコンピュータ、ハンドヘルド通信デバイス、ハンドヘルドコンピューティングデバイス、衛星無線装置、全地球測位システム、ＰＤＡ、及び／又は無線通信システム１００において通信に使用される他の任意の適切なデバイスであってよい。
【００６４】
図１に示すように、端末デバイス１１６はアンテナ１１２及び１１４と通信する。アンテナ１１２及び１１４は、フォワードリンク１１８上で端末デバイス１１６に情報を送出し、リバースリンク１２０上で端末デバイス１１６から情報を受信する。さらに、端末デバイス１２２はアンテナ１０４及び１０６と通信する。アンテナ１０４及び１０６は、フォワードリンク１２４上で端末デバイス１２２に情報を送出し、リバースリンク１２６上で端末デバイス１２２から情報を受信する。
【００６５】
例えば、周波数分割複信（Frequency  Division  Duplex、ＦＤＤ）システムでは、フォワードリンク１１８は、リバースリンク１２０により使用されるものと異なる帯域を使用してよく、フォワードリンク１２４は、リバースリンク１２６により使用されるものと異なる帯域を使用してよい。
【００６６】
別の例として、時分割複信（Time  Division  Duplex、ＴＤＤ）システム及び全二重（Full  Duplex）システムでは、フォワードリンク１１８及びリバースリンク１２０は同じ帯域を使用してよく、フォワードリンク１２４及びリバースリンク１２６は同じ帯域を使用してよい。
【００６７】
通信に対して設計された各アンテナ（若しくは複数のアンテナを含むアンテナグループ）若しくは各エリア又は双方は、ネットワークデバイス１０２のセクタと呼ばれる。例えば、アンテナグループは、ネットワークデバイス１０２のカバレッジエリアのセクタ内の端末デバイスと通信するように設計されてよい。ネットワークデバイス１０２がフォワードリンク１１８及び１２４上でそれぞれ端末デバイス１１６及び１２２と通信するとき、ネットワークデバイス１０２の送信アンテナは、ビームフォーミングを通じてフォワードリンク１１８及び１２４の信号対雑音比を改善し得る。さらに、ネットワークデバイスが単一のアンテナを使用することによりネットワークデバイスの全ての端末デバイスに信号を送出する方式と比較して、ネットワークデバイス１０２が関連するカバレッジエリア内にランダムに散乱した端末デバイス１１６及び１２２にビームフォーミングを通じて信号を送出する方式は、近隣セル内のモバイルデバイスへの干渉を少なくする。
【００６８】
所与の時間内に、ネットワークデバイス１０２、端末デバイス１１６、又は端末デバイス１２２は、無線通信送出装置及び／又は無線通信受信装置であってよい。データを送出するとき、無線通信送出装置は送信のためにデータを符号化してよい。具体的には、無線通信送出装置は、チャネルを通じて無線通信受信装置に送出される必要のある特定量のデータビットを（例えば、生成し、他の通信装置から受信し、又はメモリに記憶することにより）取得してよい。データビットはデータのトランスポートブロック（又は複数のトランスポートブロック）に含まれてよく、トランスポートブロックは複数のコードブロックを生成するようにセグメント化されてよい。
【００６９】
さらに、通信システム１００は、公衆陸上移動体ネットワーク（Public  Land  Mobile  Network、ＰＬＭＮ）、デバイスツーデバイス（Device-to-Device、Ｄ２Ｄ）ネットワーク、マシンツーマシン（Machine-to-Machine、Ｍ２Ｍ）ネットワーク、又は別のネットワークであってもよい。図１は、簡略化された概略図の一例に過ぎない。ネットワークは、図１に示されていない別のネットワークデバイスをさらに含んでよい。
【００７０】
本願の実施形態における送信端はネットワークデバイスであってよい。ネットワークデバイスは、端末デバイスと通信するデバイス、例えば、ネットワークデバイス又はネットワークデバイスコントローラであってよい。各ネットワークデバイスは、特定の地理的エリアに対して通信カバレッジを提供することができ、カバレッジエリア（セル）内の端末デバイスと通信することができる。ネットワークデバイスは、グローバルシステムフォーモバイルコミュニケーションズ（Global  System  for  Mobile  Communications、ＧＳＭ）又は符号分割多元接続（Code  Division  Multiple  Access、ＣＤＭＡ）システムにおけるネットワークデバイス（例えば、基地トランシーバ局（Base  Transceiver  Station、ＢＴＳ））であってよく、あるいは広帯域符号分割多元接続（Wideband  Code  Division  Multiple  Access、ＷＣＤＭＡ）システムにおけるネットワークデバイス（NodeB、ＮＢ）であってよく、あるいはＬＴＥシステムにおける進化型ネットワークデバイス（Evolved  NodeB、ｅＮＢ、ｅＮｏｄｅＢ）又はクラウド無線アクセスネットワーク（Cloud  Radio  Access  Network、ＣＲＡＮ）における無線コントローラであってよい。あるいは、ネットワークデバイスは、将来の５Ｇネットワークにおけるネットワークデバイス、将来の進化型公衆陸上移動体ネットワーク（Public  Land  Mobile  Network、ＰＬＭＮ）におけるネットワークデバイスなどであってよい。
【００７１】
本願の実施形態における受信端は端末デバイスであってよい。端末デバイスは、アクセス端末、ユーザ装置（User  Equipment、ＵＥ）、加入者ユニット、加入者局、移動局、リモート局、リモート端末、移動端末、ユーザ端末、端末、無線通信デバイス、ユーザエージェント、又はユーザ機器であってもよい。アクセス端末は、セルラーフォン、コードレス電話セット、セッション開始プロトコル（Session  Initiation  Protocol、ＳＩＰ）フォン、無線ローカルループ（Wireless  Local  Loop、ＷＬＬ）局、パーソナルデジタルアシスタント（Personal  Digital  Assistant、ＰＤＡ）、無線通信機能を有するハンドヘルドデバイス、無線モデムに接続されたコンピューティングデバイス又は他の処理デバイス、車載デバイス、ウェアラブルデバイス、モノのインターネットにおける端末デバイス、仮想現実デバイス、将来の５Ｇネットワークにおける端末デバイス、将来の進化型公衆陸上移動体ネットワーク（Public  Land  Mobile  Network、ＰＬＭＮ）における端末デバイスなどであってよい。
【００７２】
本願の実施形態において提供される無線通信方法は、端末デバイス又はネットワークデバイスに適用されてよい。端末デバイス又はネットワークデバイスは、ハードウェア層、ハードウェア層上で動作するオペレーティングシステム層、及びオペレーティングシステム層上で動作するアプリケーション層を含む。ハードウェア層は、中央処理ユニット（Central  Processing  Unit、ＣＰＵ）、メモリ管理ユニット（Memory  Management  Unit、ＭＭＵ）、及びメモリ（メインメモリとも呼ばれる）などのハードウェアを含む。オペレーティングシステムは、プロセス（Process）を使用することによりサービス処理を実現するコンピュータオペレーティングシステム、例えば、Ｌｉｎｕｘオペレーティングシステム、Ｕｎｉｘオペレーティングシステム、Ａｎｄｒｏｉｄオペレーティングシステム、ｉＯＳオペレーティングシステム、又はＷｉｎｄｏｗｓオペレーティングシステムのうち、任意の１つ以上であってよい。アプリケーション層は、ブラウザ、アドレスブック、テキスト処理ソフトウェア、及びインスタントメッセージングソフトウェアなどのアプリケーションを含む。さらに、本願の実施形態において、無線通信方法を実行するためのエンティティの具体的な構造は、エンティティが本願の実施形態において無線通信方法のコードを記録するプログラムを実行して、本願の実施形態における無線通信方法に従って通信を実行することができるならば、本願において特に限定されない。例えば、本願の実施形態における無線通信方法は、端末デバイス、ネットワークデバイス、又は、端末デバイス若しくはネットワークデバイス内にありプログラムを呼び出し及び実行することができる機能モジュールにより実行されてよい。
【００７３】
図２は、本願の一実施形態による無線通信方法２００の概略フローチャートである。図２に示すように、方法２００は以下の内容を含む。
【００７４】
２０１．ネットワークデバイスが、制御チャネルの複数のサーチセクションのうち少なくとも１つに対応するパイロット信号を決定し、少なくとも１つのサーチセクションの各々に対応するパイロット信号は各サーチセクション内の制御チャネル候補の復調パイロットとの擬似コロケーション（quasi-co-location）ＱＣＬ関連づけを有し、複数のサーチセクションの中の異なるサーチセクションは異なるタイプのパイロット信号に対応する。
【００７５】
任意選択で、制御チャネルの複数のサーチセクションは、共用サーチセクション及びユーザ特有サーチセクションであってよい。
【００７６】
任意選択で、共用サーチセクションに対応するパイロット信号と、ユーザ特有サーチセクションに対応するパイロット信号とは、異なるタイプのパイロット信号である。
【００７７】
任意選択で、共用サーチセクションに対応するパイロット信号は、共用サーチセクション内の制御チャネル候補の復調パイロットとのＱＣＬ関連づけを有する。
【００７８】
任意選択で、ユーザ特有サーチセクションに対応するパイロット信号は、ユーザ特有サーチセクション内の制御チャネル候補の復調パイロットとのＱＣＬ関連づけを有する。
【００７９】
任意選択で、ネットワークデバイスは、複数のサーチセクションの中の共用サーチセクションに対応するパイロット信号のみを決定してよい。
【００８０】
任意選択で、ネットワークデバイスは、複数のサーチセクションの中のユーザ特有サーチセクションに対応するパイロット信号のみを決定してよい。
【００８１】
任意選択で、共用サーチセクションに対応するパイロット信号は、第１のタイプのパイロット信号である。
【００８２】
任意選択で、第１のタイプのパイロット信号は、以下の信号、すなわち、同期信号、報知チャネルの復調パイロット、及びビーム測定パイロット、のうち少なくとも１つである。
【００８３】
任意選択で、ビーム測定パイロットは、ビームの受信エネルギー又は受信電力を測定するために使用されてよく、あるいはビームの他の情報を測定するために使用されてよい。これは、本願の本実施形態において具体的に限定されない。
【００８４】
任意選択で、ユーザ特有サーチセクションに対応するパイロット信号は、第２のタイプのパイロット信号であり、第２のタイプのパイロット信号は、チャネル状態情報参照信号（Channel  State  Information-Reference  Signal、ＣＳＩ‐ＲＳ）である。
【００８５】
２０２．ネットワークデバイスが、制御チャネルの複数のサーチセクションのうち少なくとも１つに対応するパイロット信号を送出する。
【００８６】
任意選択で、少なくとも１つのサーチセクションは、共用サーチセクションであってよく、あるいはユーザ特有サーチセクションであってよく、あるいは共用サーチセクション及びユーザ特有サーチセクションの双方を含んでよい。
【００８７】
任意選択で、ネットワークデバイスは、異なるビームを使用することにより時分割多重を通じて、異なる直交周波数分割多重（Orthogonal  Frequency  Division  Multiplexing、ＯＦＤＭ）シンボル上で、少なくとも１つのサーチセクションに対応するパイロット信号を送出してよい。
【００８８】
任意選択で、ネットワークデバイスは代替的に、異なるビームを使用することにより周波数分割多重を通じて、同じＯＦＤＭシンボル内の異なるサブキャリア上で、少なくとも１つのサーチセクションに対応するパイロット信号を送出してよい。
【００８９】
任意選択で、ネットワークデバイスは代替的に、時分割多重及び周波数分割多重の組み合わせの方式で、少なくとも１つのサーチセクションに対応するパイロット信号を送出してよい。
【００９０】
任意選択で、ネットワークデバイスは、複数のビームを使用することにより、少なくとも１つのサーチセクションに対応するパイロット信号を送出してよい。
【００９１】
任意選択で、複数のビームの中の異なる送信ビームは異なるプリコーディング行列に対応し、異なるビームは異なる時間周波数リソースを占有する。
【００９２】
任意選択で、ネットワークデバイスは、送信ビームの識別子を使用することにより、共用サーチセクション内の全ての候補を算出してよい。任意選択で、算出方式は、上位層により構成されてよく、あるいは予め定義されてよい。
【００９３】
２０３．端末デバイスが、制御チャネルの複数のサーチセクションのうち少なくとも１つに対応するパイロット信号を受信する。
【００９４】
任意選択で、少なくとも１つのサーチセクションは、共用サーチセクションであってよく、あるいはユーザ特有サーチセクションであってよく、あるいは共用サーチセクション及びユーザ特有サーチセクションの双方を含んでよい。
【００９５】
任意選択で、端末デバイスは、複数のビームの各々により占有される時間周波数リソース上で第１のタイプのパイロット信号をリッスンし（listen）てよい。
【００９６】
任意選択で、端末デバイスは、各ビームにより送出された第１のタイプのパイロット信号の電力を検出して、選択されたビームを決定してよい。
【００９７】
任意選択で、端末デバイスは、選択されたビーム上の第１のタイプのパイロット信号を測定して、ビーム上で送出された第１のタイプのパイロット信号の遅延スプレッド、ドップラースプレッド、ドップラー周波数シフト、平均遅延などを取得し、それにより、端末デバイスは、ビームに対応するチャネルの遅延スプレッド、ドップラースプレッド、ドップラー周波数シフト、平均遅延などを推定してよい。
【００９８】
任意選択で、端末デバイスは代替的に、選択されたビームの識別子を使用することにより、共用サーチセクション内の全ての候補を算出してよい。任意選択で、算出方式は、上位層により構成されてよく、あるいは予め定義されてよい。
【００９９】
任意選択で、選択されたビームの識別子は、ビームの番号であってよい。
【０１００】
２０４．端末デバイスが、制御チャネルの複数のサーチセクションのうち少なくとも１つに対応するパイロット信号を決定し、少なくとも１つのサーチセクションの各々に対応するパイロット信号は各サーチセクション内の制御チャネル候補の復調パイロットとのＱＣＬ関連づけを有し、複数のサーチセクションの中の異なるサーチセクションは異なるタイプのパイロット信号に対応する。
【０１０１】
２０５．端末デバイスが、各サーチセクションに対応するパイロット信号と各サーチセクション内の制御チャネル候補の復調パイロットとの間のＱＣＬ関連づけに基づいて、少なくとも１つのサーチセクション内の制御チャネル候補を検出する。
【０１０２】
端末デバイスは、各サーチセクションに対応するパイロット信号を測定して、各サーチセクションに対応するパイロット信号の遅延スプレッド、ドップラースプレッド、ドップラー周波数シフト、平均遅延などを取得する。それにより、端末デバイスは、遅延スプレッド、ドップラースプレッド、ドップラー周波数シフト、又は平均遅延などのパラメータに基づいて、各サーチセクション内の制御チャネル候補の復調パイロットに対してチャネル補間を実行し、サーチセクション内の制御チャネル候補を検出してよい。
【０１０３】
任意選択で、一実施形態において、図３Ａ及び図３Ｂに示すように、方法２００は以下の内容をさらに含んでよい。
【０１０４】
２０６．端末デバイスが、ネットワークデバイスにランダムアクセスプリアンブルを送出する。
【０１０５】
任意選択で、選択されたビームを決定した後、端末デバイスはネットワークデバイスにランダムアクセス要求を送出する。ランダムアクセス要求はランダムアクセスプリアンブルを含む。
【０１０６】
任意選択で、端末デバイスは、上りリンクランダムアクセスチャネルを通じてネットワークデバイスにランダムアクセスプリアンブルを送出する。
【０１０７】
任意選択で、ランダムアクセスプリアンブルは選択されたビームに関連づけられる。
【０１０８】
２０７．ネットワークデバイスが、端末デバイスにより送出されたランダムアクセスプリアンブルを受信する。
【０１０９】
２０８．ネットワークデバイスが、ランダムアクセスプリアンブルに対応するランダムアクセス応答を送出する。
【０１１０】
端末デバイスのランダムアクセス要求を検出し、検出されたランダムアクセスプリアンブルと第１のタイプのパイロット信号との関連づけ方法に基づいて、第１のタイプのパイロット信号を送出するためにネットワークデバイスにより使用され、かつ端末デバイスにより選択されたビームを決定した後、ネットワークデバイスは、ＰＤＣＣＨの共用サーチセクション内の候補を選択し、候補のＤＣＩを使用することにより端末デバイスのランダムアクセス要求に対する応答をスケジュールし、端末デバイスにより選択された、決定されたビームを使用することにより候補を送出する。
【０１１１】
２０９．端末デバイスが、ランダムアクセスプリアンブルに対応するランダムアクセス応答を受信する。
【０１１２】
任意選択で、本実施形態を実行する第１のタイプのパイロット信号は第１のパイロット信号であってよく、第１のパイロット信号は第１のタイプのパイロット信号である。
【０１１３】
任意選択で、端末デバイスにより送出されたランダムアクセスプリアンブルに関連づけられた第１のパイロット信号は、共用サーチセクションに対応するパイロット信号として決定される。第１のパイロット信号は第１のタイプのパイロット信号であり、下りリンク同期信号であってよく、あるいは報知チャネルの復調パイロットであってよく、あるいはビーム測定パイロットであってよい。
【０１１４】
任意選択で、共用サーチセクションは、ランダムアクセス応答をスケジュールするための制御チャネル候補を含む。
【０１１５】
任意選択で、ネットワークデバイスは、第１の信号を送出するためのビームと第１の信号に対応する制御チャネル候補を送出するためのビームとが同じビームであると決定し、第１の信号は第１のタイプのパイロット信号である。
【０１１６】
ネットワークデバイスにより、制御チャネルの複数のサーチセクションの各々に対応するパイロット信号を決定することは、
制御チャネル候補と同じ送信ビームを有する第１の信号を、共用サーチセクションに対応するパイロット信号として決定すること
を含む。
【０１１７】
任意選択で、一実施形態において、図４に示すように、方法２００は以下の内容をさらに含んでよい。
【０１１８】
２１０．第１のパイロット信号を決定する。
【０１１９】
任意選択で、第１のパイロット信号は第１のタイプのパイロット信号であり、下りリンク同期信号であってよく、あるいは報知チャネルの復調パイロットであってよく、あるいはビーム測定パイロットであってよい。
【０１２０】
任意選択で、端末デバイスが第１のパイロット信号を決定してよく、あるいはネットワークデバイスが第１のパイロット信号を決定してよい。
【０１２１】
任意選択で、第１のパイロット信号は、端末デバイスにより送出されたランダムアクセスプリアンブルに関連づけられた第１のパイロット信号が共用サーチセクションに対応するパイロット信号として決定される前に、決定される。
【０１２２】
任意選択で、端末デバイスは、端末デバイスにより送出されたランダムアクセスプリアンブルと、ランダムアクセスプリアンブル及び第１のタイプのパイロット信号の間の対応関係とに基づいて、第１のパイロット信号を決定する。異なるランダムアクセスプリアンブルは、第１のタイプの異なるパイロット信号に対応する。任意選択で、端末デバイスにより送出されたランダムアクセスプリアンブルに対応する、第１のタイプのパイロット信号が、第１のパイロット信号として決定される。
【０１２３】
任意選択で、端末デバイスは、端末デバイスにより送出されたランダムアクセスプリアンブルと、ランダムアクセスプリアンブル及び第１のタイプのパイロット信号の時間周波数リソースの間の対応関係とに基づいて、第１のパイロット信号を決定する。異なるランダムアクセスプリアンブルは、第１のタイプのパイロット信号の異なる時間周波数リソースに対応する。任意選択で、端末デバイスにより送出されたランダムアクセスプリアンブルに対応する、第１のタイプのパイロット信号の時間周波数リソース上で送出されたパイロット信号が、第１のパイロット信号として決定される。
【０１２４】
任意選択で、端末デバイスは、端末デバイスにより送出されたランダムアクセスプリアンブルの時間周波数リソースと、ランダムアクセスプリアンブルの時間周波数リソース及び第１のタイプのパイロット信号の間の対応関係とに基づいて、第１のパイロット信号を決定する。ランダムアクセスプリアンブルの時間周波数リソース及び第１のタイプのパイロット信号の間の対応関係は、ランダムアクセスプリアンブルの異なる時間周波数リソースが第１のタイプのパイロット信号の異なるシーケンスに対応することである。任意選択で、端末デバイスにより送出されたランダムアクセスプリアンブルの時間周波数リソースに対応する、第１のタイプのパイロット信号が、第１のパイロット信号として決定される。
【０１２５】
任意選択で、端末デバイスは、端末デバイスにより送出されたランダムアクセスプリアンブルの時間周波数リソースと、ランダムアクセスプリアンブルの時間周波数リソース及び第１のタイプのパイロット信号の時間周波数リソースの間の対応関係とに基づいて、第１のパイロット信号を決定する。ランダムアクセスプリアンブルの異なる時間周波数リソースは、第１のパイロット信号の異なる時間周波数リソースに対応する。任意選択で、端末デバイスにより送出されたランダムアクセスプリアンブルの時間周波数リソースに対応する時間周波数リソース上のパイロット信号が、第１のパイロット信号として決定される。
【０１２６】
任意選択で、本実施形態における前述の解決策は、実行体として端末デバイスを使用することにより具体的に説明され、さらにネットワークデバイスに適用可能である。
【０１２７】
任意選択で、一実施形態において、図５Ａ及び図５Ｂに示すように、方法２００は以下の内容をさらに含んでよい。
【０１２８】
２１１．ネットワークデバイスが、第１のタイプの少なくとも２つの異なるパイロット信号を送出する。
【０１２９】
任意選択で、第１のパイロット信号は第１のタイプのパイロット信号であり、下りリンク同期信号であってよく、あるいは報知チャネルの復調パイロットであってよく、あるいはビーム測定パイロットであってよい。
【０１３０】
任意選択で、第１のタイプの少なくとも２つの異なるパイロット信号は、異なる送信ビーム上でネットワークデバイスにより送出される。
【０１３１】
２１２．端末デバイスが、第１のタイプの少なくとも２つの異なるパイロット信号をリッスンする。
【０１３２】
任意選択で、端末デバイスは、異なる受信ビーム上の第１のタイプの少なくとも２つの異なるパイロット信号をリッスンする。
【０１３３】
２１３．端末デバイスが、第１のタイプの少なくとも２つの異なるパイロット信号から第１のパイロット信号を選択する。
【０１３４】
任意選択で、端末デバイスにより送出されるランダムアクセスプリアンブルは、第１のパイロット信号の識別子を搬送する。
【０１３５】
任意選択で、端末デバイスは、第１のパイロット信号の識別子に基づいて、該識別子を有する第１のパイロット信号を、共用サーチセクションに対応するパイロット信号として決定する。
【０１３６】
任意選択で、端末デバイスは、第１のパイロット信号の識別子に基づいて、該識別子を有する第１のパイロット信号を送出するためのビームをリッスンすることを通じて取得される第１のタイプのパイロット信号を、共用サーチセクションに対応するパイロット信号として決定する。
【０１３７】
したがって、本願の本実施形態において、制御チャネルの共用サーチセクション内の候補のＤＭＲＳは第１のタイプのパイロット信号（同期信号、報知チャネルの復調パイロット、及びビーム測定パイロット）とのＱＣＬ関連づけを有することが定義され、それにより、ＣＲＳなしでの共用サーチセクション内の候補に対するブラインド検出の間のチャネル推定問題を解決する。
【０１３８】
任意選択で、一実施形態において、図６Ａ及び図６Ｂに示すように、方法２００は以下の内容をさらに含んでよい。
【０１３９】
２１４．ネットワークデバイスが、上位層シグナリングを使用することにより指示情報を送出する。
【０１４０】
任意選択で、上位層シグナリングは、無線リソース制御（Radio  Resource  Control、ＲＲＣ）シグナリングであってよい。
【０１４１】
任意選択で、指示情報は、以下の情報、すなわち、Ｎ個の送信ビームのビーム識別子、Ｎ個のビームペアのビーム識別子、第２の対応関係、及び第４の対応関係、のうち少なくとも１つのタイプを示すために使用される。
【０１４２】
２１５．端末デバイスが、指示情報を受信する。
【０１４３】
任意選択で、端末デバイスは上位層シグナリングを受信する。
【０１４４】
任意選択で、端末デバイスは、上位層シグナリングに基づいて、複数のユーザ特有サーチセクションに対応するパイロット信号を決定してよい。
【０１４５】
任意選択で、端末デバイスにより、制御チャネルのユーザ特有サーチセクションに対応するパイロット信号を決定することは、
ユーザ特有サーチセクションの合計Ｍ個の制御チャネル候補及びＮ個の送信ビームの間の第１の対応関係と、Ｎ個の送信ビーム及び第２のタイプのＮ個のパイロット信号の間の第２の対応関係とに基づいて、Ｍ個の制御チャネル候補とのＱＣＬ関連づけをそれぞれ有する第２のタイプのパイロット信号を決定することであり、Ｍ及びＮは２以上の整数である、ことを含み、
第１の対応関係は、Ｎ個のビームのビーム識別子ｎに基づいて、ビーム識別子ｎに対応する制御チャネル候補セットのリソース位置｛Ｃｎｉ｝、０＜ｉ≦Ｓｎを決定するものであり、Ｓｎは、ビーム識別子ｎに対応する制御チャネル候補の数であり、Ｃｎｉは、ビーム識別子ｎに対応する第ｉの制御チャネル候補の識別子であり、第２の対応関係は、Ｎ個の送信ビームを使用することにより第２のタイプのＮ個のパイロット信号を送出するものであり、Ｎ個の送信ビームの中の異なる送信ビームを使用することにより送出される第２のタイプのパイロット信号は互いに異なる。
【０１４６】
任意選択で、端末デバイスにより、制御チャネルのユーザ特有サーチセクションに対応するパイロット信号を決定することは、
ユーザ特有サーチセクションの合計Ｍ個の制御チャネル候補、Ｎ個の送信ビーム、及び端末デバイスのＩＤの間の第３の対応関係と、Ｎ個の送信ビーム及び第２のタイプのＮ個のパイロット信号の間の第２の対応関係とに基づいて、Ｍ個の制御チャネル候補とのＱＣＬ関連づけをそれぞれ有する第２のタイプのパイロット信号を決定することであり、Ｍ及びＮは２以上の整数である、ことを含み、
第２の対応関係は、Ｎ個の送信ビームを使用することにより第２のタイプのＮ個のパイロット信号を送出するものであり、Ｎ個の送信ビームの中の異なる送信ビームを使用することにより送出される第２のタイプのパイロット信号は互いに異なり、第３の対応関係は、ビーム識別子及び端末デバイスのＩＤ情報に連帯的に（jointly）基づいて、各ビームに対応する制御チャネル候補セットのリソース位置｛Ｃｎｉ｝、０＜ｉ≦Ｓｎを決定するものであり、Ｓｎは、ビーム識別子ｎに対応する制御チャネル候補の数であり、Ｃｎｉは、ビーム識別子ｎに対応する第ｉの制御チャネル候補の識別子である。
【０１４７】
任意選択で、端末デバイスにより、制御チャネルの複数のサーチセクションのうち少なくとも１つに対応するパイロット信号を決定することは、
ユーザ特有サーチセクションの合計Ｍ個の制御チャネル候補及び第２のタイプのＮ個のパイロット信号の間の第４の対応関係に基づいて、Ｍ個の制御チャネル候補とのＱＣＬ関連づけをそれぞれ有する第２のタイプのパイロット信号を決定することであり、Ｍ及びＮは２以上の整数である、ことを含み、
第４の対応関係は、第２のタイプのＮ個のパイロット信号の識別子ｎに基づいて、識別子ｎに対応する制御チャネル候補セットのリソース位置｛Ｃｎｉ｝、０＜ｉ≦Ｓｎを決定するものであり、Ｓｎは、第２のタイプのパイロット信号の識別子ｎに対応する制御チャネル候補の数であり、Ｃｎｉは、第２のタイプのパイロット信号の識別子ｎに対応する第ｉの制御チャネル候補の識別子である。
【０１４８】
任意選択で、Ｎ個の送信ビームの中の同じビームに対応するＳｎ個の制御チャネル候補は、第２のタイプの同じパイロット信号とのＱＣＬ関連づけを有する。
【０１４９】
任意選択で、第１の対応関係におけるビーム識別子ｎに対応するＳｎ個の制御チャネル候補の復調パイロットは、第２の対応関係におけるビームｎに対応するビームを使用することにより送出される第２のタイプのパイロットとのＱＣＬ関連づけを有する。
【０１５０】
任意選択で、第３の対応関係におけるビーム識別子ｎ及び端末デバイスのＩＤ情報に対応するＳｎ個の制御チャネル候補の復調パイロットは、第２の対応関係におけるビームｎに対応するビームを使用することにより送出される第２のタイプのパイロットとのＱＣＬ関連づけを有する。
【０１５１】
任意選択で、端末デバイスにより、制御チャネルのユーザ特有サーチセクションに対応するパイロット信号を決定することは、
ユーザ特有サーチセクションの合計Ｍ個の制御チャネル候補及びＮ個のビームペアの間の第１の対応関係と、Ｎ個のビームペア及び第２のタイプのＮ個のパイロット信号の間の第２の対応関係とに基づいて、Ｍ個の制御チャネル候補とのＱＣＬ関連づけをそれぞれ有する第２のタイプのパイロット信号を決定することであり、Ｍ及びＮは２以上の整数である、ことを含み、
Ｎ個のビームペアの各々は少なくとも１つのビームペアを含み、少なくとも１つのビームペアは送信ビーム及び受信ビームを含み、送信ビームはネットワークデバイスの送信ビームであり、受信ビームは端末デバイスの受信ビームであり、
第１の対応関係は、Ｎ個のビームペアのビームペア識別子ｎに基づいて、ビームペア識別子ｎに対応する制御チャネル候補セットのリソース位置｛Ｃｎｉ｝、０＜ｉ≦Ｓｎを決定するものであり、Ｓｎは、ビームペア識別子ｎに対応する制御チャネル候補の数であり、Ｃｎｉは、ビームペア識別子ｎに対応する第ｉの制御チャネル候補の識別子であり、第２の対応関係は、ネットワークデバイスにより、Ｎ個のビームペアの中の送信ビームを使用することにより第２のタイプのＮ個のパイロット信号を送出し、端末デバイスにより、Ｎ個のビームペアの中の受信ビームを使用することにより第２のタイプのＮ個のパイロット信号を受信するものであり、Ｎ個のビームペアの中の異なるビームペアを使用することにより送受信される第２のタイプのパイロット信号は互いに異なり、第２のタイプの各パイロット信号を送出するためのビームと第２のタイプのパイロット信号を受信するためのビームとは、それぞれ、同じビームペアにおける送信ビーム及び受信ビームである。
【０１５２】
任意選択で、端末デバイスにより、制御チャネルのユーザ特有サーチセクションに対応するパイロット信号を決定することは、
ユーザ特有サーチセクションの合計Ｍ個の制御チャネル候補、Ｎ個のビームペア、及び端末デバイスのユーザアイデンティティ（Identity、ＩＤ）の間の第３の対応関係と、Ｎ個のビームペア及び第２のタイプのＮ個のパイロット信号の間の第２の対応関係とに基づいて、Ｍ個の制御チャネル候補とのＱＣＬ関連づけをそれぞれ有する第２のタイプのパイロット信号を決定することであり、Ｍ及びＮは２以上の整数である、ことを含み、
Ｎ個のビームペアの各々は送信ビーム及び受信ビームを含み、送信ビームはネットワークデバイスの送信ビームであり、受信ビームは端末デバイスの受信ビームであり、
第２の対応関係は、ネットワークデバイスにより、Ｎ個のビームペアの中の送信ビームを使用することにより第２のタイプのＮ個のパイロット信号を送出し、端末デバイスにより、Ｎ個のビームペアの中の受信ビームを使用することにより第２のタイプのＮ個のパイロット信号を受信するものであり、Ｎ個のビームペアの中の異なるビームペアを使用することにより送受信される第２のタイプのパイロット信号は互いに異なり、第２のタイプの各パイロット信号を送出するためのビームと第２のタイプのパイロット信号を受信するためのビームとは、それぞれ、同じビームペアにおける送信ビーム及び受信ビームであり、第３の対応関係は、ビームペア識別子及び端末デバイスのＩＤ情報に連帯的に基づいて、各ビームペアに対応する制御チャネル候補セットのリソース位置｛Ｃｎｉ｝、０＜ｉ≦Ｓｎを決定するものであり、Ｓｎは、ビームペア識別子ｎに対応する制御チャネル候補の数であり、Ｃｎｉは、ビーム識別子ｎに対応する第ｉの制御チャネル候補の識別子である。
【０１５３】
任意選択で、Ｎ個のビームペアの中の同じビームペアに対応するＳｎ個の制御チャネル候補は、第２のタイプの同じパイロット信号とのＱＣＬ関連づけを有する。
【０１５４】
任意選択で、第１の対応関係におけるビームペア識別子ｎに対応するＳｎ個の制御チャネル候補の復調パイロットは、第２の対応関係におけるビームペアｎに対応する、第２のタイプのパイロットとのＱＣＬ関連づけを有する。
【０１５５】
任意選択で、第３の対応関係におけるビームペア識別子ｎ及び端末デバイスのＩＤ情報に対応するＳｎ個の制御チャネル候補の復調パイロットは、第２の対応関係におけるビームペアｎに対応するビームを使用することにより送出される第２のタイプのパイロットとのＱＣＬ関連づけを有する。
【０１５６】
任意選択で、第１の対応関係及び第３の対応関係は予め設定されてよく、端末デバイスは予め設定された対応関係を直接取得してよい。
【０１５７】
任意選択で、本実施形態における前述の解決策は、実行体として端末デバイスを使用することにより具体的に説明され、さらにネットワークデバイスに適用可能である。
【０１５８】
したがって、本願の本実施形態において、ネットワークデバイスは、構成を通じて、異なるユーザ特有サーチセクションが異なる送信ビームに対応し、異なるユーザ特有サーチセクション内の候補のＤＭＲＳが異なるＣＳＩ‐ＲＳとのＱＣＬ関連づけを有することを可能にし、それにより、端末デバイスは、ＣＲＳなしで複数のユーザ特有サーチセクションにおいてブラインド検出を実行することができ、それにより、制御チャネルに対するブラインド検出の間のチャネル推定問題を解決する。
【０１５９】
本願の本実施形態による無線通信方法２００について、実施形態１及び実施形態２を例として使用することにより以下に説明する。
【０１６０】
本願の実施形態１：
【０１６１】
ネットワークデバイスが、第１のタイプの異なるパイロット信号を送出する。任意選択で、第１のタイプのパイロット信号は、以下の信号、すなわち、同期信号、報知チャネルの復調パイロット、及びビーム測定パイロット、のうち少なくとも１つである。例えば、第１のタイプのパイロット信号は同期信号である。ネットワークデバイスが異なる同期信号を送出するための複数の方法が存在する。例えば、異なる同期信号は異なるビームを使用することにより送出され、あるいは、異なる同期信号は異なる時間周波数リソースを使用することにより送出され、あるいは、異なる同期信号は異なる同期信号シーケンスを有することがある。したがって、異なる同期信号は異なる識別子を有する。以下に、異なる同期信号が異なる送信ビームを使用することにより送出される一例を用いることにより説明を提供する。異なるビームは異なる識別子を有する。
【０１６２】
ネットワークデバイスは、少なくとも２つのビームを使用することにより異なる同期信号を送出する。端末デバイスは、少なくとも２つのビーム上で送出された同期信号をリッスンし、ビームのうち１つを選択する。例えば、端末デバイスは、最も高い受信電力（Reference  Signal  Received  Power、ＲＳＲＰ）を有するビームを選択し、あるいは最も高い受信信号対雑音比を有するビームを選択し、あるいは最も高い受信品質（Reference  Signal  Received  Quality、ＲＳＲＱ）を有するビームを選択してよい。
【０１６３】
任意選択で、端末デバイスは、選択されたビーム上の同期信号を測定し、端末デバイスは、ビームに対応する等価（equivalent）チャネルの遅延スプレッド、ドップラースプレッド、ドップラー周波数シフト、及び平均遅延、チャネルの角度情報などを推定してよい。チャネルの角度情報は、平均到達角度（angle  of  arrival、ＡＯＡ）、到達角度の角度スプレッド、平均出発角度（angle  of  departure、ＡＯＤ）、出発角度の角度スプレッドなどを含む。
【０１６４】
任意選択で、同期信号と同期信号に対応する送信ビームとを選択した後、端末デバイスはランダムアクセス要求を開始し、例えば、ランダムアクセスプリアンブルを上りリンクランダムアクセスチャネル上で送出する。この場合、端末デバイスは、ビームに関連づけられたプリアンブルを送出する。
【０１６５】
任意選択で、関連づけ関係は、異なるプリアンブルが異なる同期信号シーケンスに対応し、あるいは異なるプリアンブルの時間周波数リソースが異なる同期信号シーケンスに対応し、あるいは異なるプリアンブルの時間周波数リソースが異なる同期信号の時間周波数リソースに対応し、あるいは異なるプリアンブルが異なる同期信号の時間周波数リソースに対応することであってよい。
【０１６６】
ネットワークデバイスは、端末デバイスにより送出されたプリアンブルと、プリアンブル及び同期信号の間の関連づけ関係とに基づいて、端末デバイスのための送信ビームを決定してよい。
【０１６７】
端末デバイスのランダムアクセス要求を検出し、端末デバイスのための送信ビームを決定した後、ネットワークデバイスは、ＰＤＣＣＨの共用サーチセクション内の候補を選択し、該候補上でユーザ装置にＰＤＣＣＨを送出し、ＰＤＣＣＨ上で搬送されるＤＣＩを使用することにより、端末デバイスのランダムアクセス要求に対する応答をスケジュールする。ネットワークデバイスは、決定された送信ビームを使用することにより、端末デバイスにＰＤＣＣＨを送出する。
【０１６８】
下りリンク制御チャネルＰＤＣＣＨを検出するとき、端末デバイスは、共用サーチセクション内の少なくとも１つの候補に対してブラインド検出を実行する必要がある。候補に対するブラインド検出の間、現在検出されている候補のチャネルは推定される必要がある。チャネル推定の間、選択された送信ビームに対応する同期信号に対して推定された遅延スプレッド、ドップラースプレッド、ドップラー周波数シフト、平均遅延、チャネルの角度パラメータなどの中の少なくとも１つのパラメータを使用することにより、チャネル補間が実行される必要がある。チャネルの角度パラメータは、平均到達角度、到達角度の角度スプレッド、平均出発角度、及び出発角度の角度スプレッドなどを含む。
【０１６９】
本願の実施形態１において、ネットワークデバイスは、同じ送信ビームを使用して、端末デバイスのプリアンブルに関連づけられた同期信号を送出し、共用サーチセクション内の各候補を送出する。したがって、同期信号は、共用サーチセクション内の各候補のＤＭＲＳとのＱＣＬ関連づけを有する。したがって、共用サーチセクションにおけるチャネル補間推定は、同期信号を使用することにより推定されたパラメータを使用することにより実行されてよい。
【０１７０】
したがって、本願の実施形態１において、制御チャネルの共用サーチセクション内の候補のＤＭＲＳが第１のタイプのパイロット信号（同期信号、報知チャネルの復調パイロット、及びビーム測定パイロット）とのＱＣＬ関連づけを有することが定義され、それにより、ＣＲＳなしでの共用サーチセクション内の候補に対する端末デバイスによるブラインド検出の間のチャネル推定問題を解決する。
【０１７１】
端末デバイスがセルに成功裏にアクセスした後、ネットワークデバイスは、一連のビーム処理動作、例えばビーム管理プロセスを実行することにより、端末デバイスのためのＸ個の送信ビームを決定し、ここで、Ｘは１以上の整数である。ネットワークデバイスは、端末デバイスのためのＸ個の送信ビームの識別子に基づいて、上位層シグナリングを使用することによりＸ個の送信ビームの識別子を示す。端末デバイスは上位層シグナリングを受信し、Ｘ個の送信ビームの識別子に基づいて、各送信ビームに対応するユーザ特有サーチセクション内の候補のリソース位置｛Ｃｎｉ｝、０＜ｉ≦Ｓｎを決定する。ここで、Ｓｎは、ビーム識別子ｎに対応する制御チャネル候補の数であり、Ｃｎｉは、ビーム識別子ｎに対応する第ｉの制御チャネル候補の識別子である。同じユーザ特有サーチセクション内の全ての候補は、該サーチセクションに対応する送信ビームにより送出される。これは、第１の対応関係である。さらに、ネットワークデバイスは、上位層シグナリングを使用することにより、Ｘ個のビームに対応するチャネル測定パイロットＣＳＩ‐ＲＳをさらに構成する。各ＣＳＩ‐ＲＳは、対応するビームを使用することにより、ネットワークデバイスにより送出される。これは、第２の対応関係である。したがって、各ＣＳＩ‐ＲＳは、ＣＳＩ‐ＲＳに対応する送信ビームを使用することにより、１つのユーザ特有サーチセクションに対応し得る。ユーザ特有サーチセクション内の全ての候補のための送信ビームが、ＣＳＩ‐ＲＳの送信ビームと同じである。したがって、ユーザ特有サーチセクション内の全ての候補のＤＭＲＳが、ＣＳＩ‐ＲＳとのＱＣＬ関連づけを有する。任意選択で、端末デバイスは、予め定義された又は通知されたルールに従って、２つのビームの識別子及び端末デバイスのＩＤを使用することにより、２つのビームに対応するユーザ特有サーチセクション内の候補セットのリソース位置を算出してよい。これは、第３の対応関係である。
【０１７２】
図７を一例として使用することにより説明を提供する。ネットワークデバイスは、端末デバイスのための２つの送信ビームを決定する。２つの送信ビームはＢ０及びＢ１であり、ビーム識別子はそれぞれ０及び１である。換言すれば、Ｘ＝２である。ネットワークデバイスは、上位層シグナリングを使用することにより２つのビームの識別子を示す。端末デバイスは、予め定義された又は通知されたルールに従って、２つのビームに対応する２つのユーザ特有サーチセクション内の候補セットのリソース位置を算出してよい。図に示すように、Ｂ０に対応するユーザ特有サーチセクションはセクション０であり、セクション０内の候補セットは５つの要素Ｃ０ｉ（ｉ＝１，．．．，５）を含み、換言すれば、Ｓ０＝５である。Ｂ１に対応するユーザ特有サーチセクションはセクション１であり、セクション１内の候補セットは４つの要素Ｃ１ｉ（ｉ＝１，．．．，４）を含み、換言すれば、Ｓ１＝４である。セクション２は共用サーチセクションであり、セクション２内の候補セットは６つの要素を含み、対応するビームはＢ２である。Ｂ２は、第１のパイロット信号（これは本願の実施形態１において同期信号である）を決定するための前述のプロセスを使用することにより決定される。さらに、ネットワークデバイスは、上位層シグナリングを使用することにより、ビームＢ０及びＢ１に対応するＣＳＩ‐ＲＳをさらに構成する。ＣＳＩ‐ＲＳは、ＣＳＩ‐ＲＳ構成（configuration）０及びＣＳＩ‐ＲＳ構成１を有する。ＣＳＩ‐ＲＳ構成０を有するＣＳＩ‐ＲＳは、ビームＢ０を使用することによりネットワークデバイスにより送出され、ＣＳＩ‐ＲＳ構成１を有するＣＳＩ‐ＲＳは、ビームＢ１を使用することによりネットワークデバイスにより送出される。したがって、Ｂ０に対応するセクション０内の候補セットの復調パイロットは、ＣＳＩ‐ＲＳ０を有するＣＳＩ‐ＲＳとのＱＣＬ関連づけを有し、Ｂ１に対応するセクション１内の候補セットのＤＭＲＳは、ＣＳＩ‐ＲＳ１を有するＣＳＩ‐ＲＳとのＱＣＬ関連づけを有する。
【０１７３】
任意選択で、ネットワークデバイスはさらに、上位層シグナリングを使用することにより、Ｘ個のユーザ特有サーチセクションに対応するＸ個のＣＳＩ‐ＲＳを直接構成してよい。これは、第４の対応関係である。各ユーザ特有サーチセクション内の候補セットのＤＭＲＳは、対応するＣＳＩ‐ＲＳとのＱＣＬ関連づけを有する。例えば、図７において、直接構成を通じて、セクション０はＣＳＩ‐ＲＳ構成０に対応することが可能にされ、セクション１はＣＳＩ‐ＲＳ構成１に対応することが可能にされる。したがって、セクション０内の候補セットの復調パイロットは、ＣＳＩ‐ＲＳ０を有するＣＳＩ‐ＲＳとのＱＣＬ関連づけを有し、セクション１内の候補セットのＤＭＲＳは、ＣＳＩ‐ＲＳ１を有するＣＳＩ‐ＲＳとＱＣＬ関連づけを有する。
【０１７４】
任意選択で、Ｘ個の送信ビームに対応するサーチセクションの候補のアグリゲーション（aggregation）レベルセットが、上位層シグナリングにおいてさらに明示的に構成されてよい。異なる送信ビームに対応するサーチセクションの候補のアグリゲーションレベルセットは別個に構成され、各アグリゲーションレベルセットは少なくとも１つのアグリゲーションレベルを含む。例えば、図７において、ビームＢ０に対応するセクション０内の候補セットのアグリゲーションレベルセットが｛１，２｝であり、ビームＢ１に対応するサーチセクション内の候補セットのアグリゲーションレベルセットが｛４，８｝であることが、上位層シグナリングにおいて構成される。
【０１７５】
任意選択で、各送信ビームに対応するサーチセクションの候補のアグリゲーションレベルセットは、上位層シグナリングにおいてビーム識別子のシーケンスを示すことにより、ネットワークデバイスにより暗黙的に示されてよい。例えば、上位層シグナリングにおける第１の指示ビーム識別子に対応する送信ビームが比較的高い受信電力を有し、該送信ビームに対応するサーチセクションのアグリゲーションレベルセットは比較的低いアグリゲーションレベルを含んでよい。上位層シグナリングにおける第２の指示ビーム識別子に対応する送信ビームが比較的低い受信電力を有し、該送信ビームに対応するサーチセクションのアグリゲーションレベルは比較的高いアグリゲーションレベルを含んでよい。各送信ビームの受信電力情報は、端末デバイスにより報告され、あるいは測定を通じて基地局により取得されてよい。例えば、図７において、上位層シグナリングはビームＢ０及びＢ１を示し、送信ビームＢ０の受信電力が送信ビームＢ１の受信電力より高い。予め定義された基準に従い、端末デバイスは、送信ビームＢ０に対応する制御チャネル候補セットのアグリゲーションレベルセットが｛１，２｝であり、送信ビームＢ１に対応する制御チャネル候補セットのアグリゲーションレベルセットが｛２，４｝であると決定してよい。
【０１７６】
任意選択で、各送信ビームに対応するサーチセクションの候補セットのアグリゲーションレベルセットは、各送信ビームの受信電力と閾値との間の比較を通じて暗黙的に示されてよい。例えば、上位層シグナリングにおいて示された送信ビーム識別子ｎに対応する送信ビームの受信電力が第１の閾値より大きい場合、該送信ビームに対応する制御チャネル候補のアグリゲーションレベルセットは、比較的低いアグリゲーションレベル、例えば｛１，２｝を含む。上位層シグナリングにおいて示された送信ビーム識別子ｎに対応する送信ビームの受信電力が第１の閾値より小さい場合、該送信ビームに対応する制御チャネル候補のアグリゲーションレベルセットは、比較的高いアグリゲーションレベル、例えば｛４，８｝を含む。各送信ビームの受信電力情報は、端末デバイスにより報告され、あるいは測定を通じて基地局により取得されてよい。
【０１７７】
ネットワークデバイスは、Ｘ個の送信ビームを使用することによりＸ個のＣＳＩ‐ＲＳを送出する。これらのＣＳＩ‐ＲＳは、ネットワークデバイスにより周期的に端末デバイスに送出され、あるいは非周期的に端末デバイスに送出され、あるいはセミパーシステント（semi-persistent）方式で端末デバイスに送出されてよい。端末デバイスは、各ＣＳＩ‐ＲＳを測定することにより、遅延スプレッド、ドップラースプレッド、ドップラー周波数シフト、平均遅延、及びチャネルの角度情報などのパラメータを取得する。チャネルの角度情報は、平均到達角度、到達角度の角度スプレッド、平均出発角度、及び出発角度の角度スプレッドなどを含む。
【０１７８】
任意選択で、ＣＳＩ‐ＲＳに追加で、ユーザ特有サーチセクションのＤＭＲＳとのＱＣＬ関連づけを有するパイロット信号は、別のタイプのパイロット信号であってよい。
【０１７９】
ネットワークデバイスは、ユーザ特有サーチスペース内の候補を使用することにより、端末デバイスに下りリンク制御チャネルＰＤＣＣＨを送出する。ＰＤＣＣＨのブラインド検出の間、端末デバイスは、ネットワークデバイスの構成に基づいて、ビームのうち少なくとも１つに対応するユーザ特有サーチセクション内の候補を検出する。ビームのうち１つに対応するユーザ特有サーチセクション内の候補の検出の間に使用されるチャネル推定補間パラメータが、ＱＣＬ関連づけを有するＣＳＩ‐ＲＳの測定に基づいて取得される。
【０１８０】
任意選択で、本願の実施形態１において、端末デバイスの受信ビームは全方向性ビームであってよい。
【０１８１】
したがって、本願の実施形態１において、ネットワークデバイスは、構成を通じて、異なるユーザ特有サーチセクション内の候補のＤＭＲＳが異なるＣＳＩ‐ＲＳとのＱＣＬ関連づけを有することを可能にし、それにより、ＣＲＳなしでユーザ特有サーチセクション内の候補に対する端末デバイスによるブラインド検出の間のチャネル推定問題を解決する。
【０１８２】
本願の実施形態２：
【０１８３】
任意選択で、本願の実施形態２において、端末デバイスの受信ビームは複数の非全方向性（non-omnidirectional）ビームであってよく、異なる受信ビームは異なる方向を有する。
【０１８４】
ネットワークデバイスは第１のタイプの異なるパイロット信号を送出する。任意選択で、第１のタイプのパイロット信号は、以下の信号、すなわち、同期信号、報知チャネルの復調パイロット、及びビーム測定パイロット、のうち少なくとも１つである。例えば、第１のタイプのパイロット信号は同期信号である。ネットワークデバイスが異なる同期信号を送出するための複数の方法が存在する。例えば、異なる同期信号は異なるビームを使用することにより送出され、あるいは、異なる同期信号は異なる時間周波数リソースを使用することにより送出され、あるいは、異なる同期信号は異なる同期信号シーケンスを有することがある。したがって、異なる同期信号は異なる識別子を有する。以下に、異なる同期信号が異なる送信ビームを使用することにより送出される一例を用いることにより説明を提供する。異なるビームは異なる識別子を有する。この場合、異なるビームを使用することにより送出される同期信号は、異なる同期信号シーケンスを有し、あるいは異なる時間周波数リソースを占有し得る。異なるビームは異なる識別子を有する。
【０１８５】
ネットワークデバイスは、少なくとも２つの送信ビームを使用することにより異なる同期信号を送出する。端末デバイスは、少なくとも２つの送信ビーム上で送出された同期信号をリッスンする。端末デバイスは、送信ビームのうちの１つを選択し、送信ビームに対して使用されるべき受信ビームを決定して、ビームペアを決定する。端末デバイスがビームペアを決定するための複数のルールが存在し得る。例えば、端末デバイスは、最も高い受信電力（Reference  Signal  Received  Power、ＲＳＲＰ）を有するビームペアを選択し、あるいは最も高い受信信号対雑音比を有するビームペアを選択し、あるいは最も高い受信品質を有するビームペア（Reference  Signal  Received  Quality、ＲＳＲＱ）を選択してよい。
【０１８６】
任意選択で、端末デバイスは、選択されたビームペア上の同期信号を測定し、端末デバイスは、ビームペアに対応する等価チャネルの遅延スプレッド、ドップラースプレッド、ドップラー周波数シフト、及び平均遅延、チャネルの角度情報などを推定してよい。チャネルの角度情報は、平均到達角度（angle  of  arrival、ＡＯＡ）、到達角度の角度スプレッド、平均出発角度（angle  of  departure、ＡＯＤ）、出発角度の角度スプレッドなどを含む。
【０１８７】
任意選択で、同期信号と同期信号に対応するビームペアとを選択した後、端末デバイスはランダムアクセス要求を開始し、例えば、ランダムアクセスプリアンブルを上りリンクランダムアクセスチャネル上で送出する。この場合、端末デバイスは、ビームペアに関連づけられたプリアンブルを送出する。
【０１８８】
任意選択で、関連づけ関係は、異なるプリアンブルが異なる同期信号シーケンスに対応し、あるいは異なるプリアンブルの時間周波数リソースが異なる同期信号シーケンスに対応し、あるいは異なるプリアンブルの時間周波数リソースが異なる同期信号の時間周波数リソースに対応し、あるいは異なるプリアンブルが異なる同期信号の時間周波数リソースに対応することであってよい。
【０１８９】
ネットワークデバイスは、端末デバイスにより送出されたプリアンブルと、プリアンブル及び同期信号の間の関連づけ関係とに基づいて、端末デバイスのための送信ビームを決定してよく、あるいは、送信ビームに対して端末により選択される受信ビームをさらに決定してよい。
【０１９０】
端末デバイスのランダムアクセス要求を検出し、端末デバイスのための送信ビームを決定した後、ネットワークデバイスは、ＰＤＣＣＨの共用サーチセクション内の候補を選択し、該候補上でユーザ装置にＰＤＣＣＨを送出し、ＰＤＣＣＨ上で搬送されるＤＣＩを使用することにより、端末デバイスのランダムアクセス要求に対する応答をスケジュールする。ネットワークデバイスは、決定された送信ビームを使用することにより、端末デバイスにＰＤＣＣＨを送出する。
【０１９１】
端末デバイスは、選択されたビームペアにおける受信ビームを使用することにより下りリンク制御チャネルを受信し、共用サーチセクション内の少なくとも１つの候補に対するブラインド検出を通じて、ネットワークデバイスにより端末デバイスに送出されたＤＣＩを決定する。候補に対するブラインド検出の間、現在検出されている候補のチャネルは推定される必要がある。チャネル推定の間、選択されたビームペアに対応する同期信号に対して上記で推定された遅延スプレッド、ドップラースプレッド、ドップラー周波数シフト、平均遅延、チャネルの角度パラメータなどの中の少なくとも１つのパラメータを使用することにより、チャネル補間が実行される必要がある。チャネルの角度パラメータは、平均到達角度、到達角度の角度スプレッド、平均出発角度、及び出発角度の角度スプレッドなどを含む。
【０１９２】
本願の実施形態２において、ネットワークデバイスは、同じ送信ビームを使用して、端末デバイスのプリアンブルに関連づけられた同期信号を送出し、共用サーチセクション内の各候補を送出し、端末デバイスは、同じ受信ビームを使用して、同期信号及び共用サーチセクション内の各候補を受信する。したがって、同期信号は、共用サーチセクション内の各候補のＤＭＲＳとのＱＣＬ関連づけを有する。したがって、共用サーチセクションにおけるチャネル補間推定は、同期信号を使用することにより推定されたパラメータを使用することにより実行されてよい。
【０１９３】
したがって、本願の実施形態２において、制御チャネルの共用サーチセクション内の候補のＤＭＲＳが第１のタイプのパイロット信号（同期信号、報知チャネルの復調パイロット、及びビーム測定パイロット）とのＱＣＬ関連づけを有することが定義され、それにより、ＣＲＳなしでの共用サーチセクション内の候補に対する端末デバイスによるブラインド検出の間のチャネル推定問題を解決する。
【０１９４】
本願の実施形態２において、端末デバイスがセルに成功裏にアクセスした後、ネットワークデバイスは、例えばビーム管理プロセスを実行することにより、端末デバイスのためのＸ個のビームペアを決定し、ここで、Ｘは１以上の整数である。各ビームペアはネットワークデバイスの送信ビームと端末デバイスの受信ビームとを含む。例えば、図８において、ネットワークデバイスは端末デバイスのための２つのビームペアを決定する。２つのビームペアは＜Ｂ０，Ｂ０’＞及び＜Ｂ１，Ｂ１’＞であり、ビームペア識別子はそれぞれ０及び１である。換言すれば、Ｘ＝２である。ネットワークデバイスは、上位層シグナリングを使用することにより、２つのビームペアの識別子を示す。端末デバイスは、予め定義された又は通知されたルールに従って、２つのビームペアに対応する２つのユーザ特有サーチセクション内の候補セットのリソース位置を算出してよい。これは、第１の対応関係である。図８に示すように、＜Ｂ０，Ｂ０’＞に対応するユーザ特有サーチセクションはセクション０であり、セクション０内の候補セットは５つの要素Ｃ０ｉ（ｉ＝１，．．．，５）を含み、換言すれば、Ｓ０＝５である。＜Ｂ１，Ｂ１’＞に対応するユーザ特有サーチセクションはセクション１であり、セクション１内の候補セットは４つの要素Ｃ１ｉ（ｉ＝１，．．．，４）を含み、換言すれば、Ｓ１＝４である。セクション２は共用サーチセクションであり、セクション２内の候補セットは６つの要素を含み、対応するビームペアは、＜Ｂ２，Ｂ２’＞である。＜Ｂ２，Ｂ２’＞は、第１のパイロット信号（これは本願の実施形態２において同期信号である）を決定するための前述のプロセスを使用することにより決定される。さらに、ネットワークデバイスは、上位層シグナリングを使用することにより、ビーム＜Ｂ０、Ｂ０’＞及び＜Ｂ１、Ｂ１’＞に対応するＣＳＩ‐ＲＳをさらに構成する。ＣＳＩ‐ＲＳは、ＣＳＩ‐ＲＳ構成０及びＣＳＩ‐ＲＳ構成１を有する。ＣＳＩ‐ＲＳ構成０を有するＣＳＩ‐ＲＳは、ビームＢ０を使用することによりネットワークデバイスにより送出され、ビームＢ０’を使用することにより端末デバイスにより受信される。ＣＳＩ‐ＲＳ構成１を有するＣＳＩ‐ＲＳは、ビームＢ１を使用することによりネットワークデバイスにより送出され、ビームＢ１’を使用することにより端末デバイスにより受信される。これは、第２の対応関係である。したがって、＜Ｂ０，Ｂ０’＞に対応するセクション０内の候補セットの復調パイロットは、ＣＳＩ‐ＲＳ０を有するＣＳＩ‐ＲＳとのＱＣＬ関連づけを有し、＜Ｂ１，Ｂ１’＞に対応するセクション１内の候補セットのＤＭＲＳは、ＣＳＩ‐ＲＳ１を有するＣＳＩ‐ＲＳとのＱＣＬ関連づけを有する。
【０１９５】
任意選択で、端末デバイスは、予め定義された又は通知されたルールに従って、２つのビームペアの識別子及び端末デバイスのＩＤを使用することにより、２つのビームに対応するユーザ特有サーチセクション内の候補セットのリソース位置を算出してよい。これは、第３の対応関係である。
【０１９６】
任意選択で、ネットワークデバイスはさらに上位層シグナリングを使用することにより、Ｘ＝２個のユーザ特有サーチセクションに対応するＸ＝２個のＣＳＩ‐ＲＳを直接構成してよい。これは、第４の対応関係である。各ユーザ特有サーチセクション内の候補セットのＤＭＲＳは、対応するＣＳＩ‐ＲＳとのＱＣＬ関連づけを有する。例えば、図８において、直接構成を通じて、セクション０はＣＳＩ‐ＲＳ構成０に対応することが可能にされ、セクション１はＣＳＩ‐ＲＳ構成１に対応することが可能にされる。したがって、セクション０内の候補セットの復調パイロットは、ＣＳＩ‐ＲＳ０を有するＣＳＩ‐ＲＳとのＱＣＬ関連づけを有し、セクション１内の候補セットのＤＭＲＳは、ＣＳＩ‐ＲＳ１を有するＣＳＩ‐ＲＳとのＱＣＬ関連づけを有する。
【０１９７】
任意選択で、Ｘ個のビームペアに対応するサーチセクションの候補のアグリゲーションレベルセットが、上位層シグナリングにおいてさらに明示的に構成されてよい。代替的に、Ｘ個のビームペアに対応するサーチセクションのアグリゲーションレベルセットが、上位層シグナリングにおいて暗黙的に構成されてよい。任意選択で、具体的な構成方式は本願の実施形態１におけるものと同様である。詳細は再度説明されない。
【０１９８】
ネットワークデバイスは、Ｘ個のビームペアの中の送信ビームを使用することによりＸ個のＣＳＩ‐ＲＳを送出する。これらのＣＳＩ‐ＲＳは、ネットワークデバイスにより周期的に端末デバイスに送出され、あるいは非周期的に端末デバイスに送出され、あるいはセミパーシステント（semi-persistent）方式で端末デバイスに送出されてよい。端末デバイスは、Ｘ個の構成されたビームペアに基づいて、各ビームペアの受信ビームを使用することにより、ビームペアの送信ビームにより送出されたＣＳＩ‐ＲＳを受信し、ＣＳＩ‐ＲＳを測定することにより、ビームペアに対応する等価チャネルの遅延スプレッド、ドップラースプレッド、ドップラー周波数シフト、及びチャネルの平均遅延、並びにチャネルの角度情報などのパラメータを取得する。チャネルの角度情報は、平均到達角度、到達角度の角度スプレッド、平均出発角度、及び出発角度の角度スプレッドなどを含む。
【０１９９】
任意選択で、ＣＳＩ‐ＲＳに追加で、ユーザ特有サーチセクションのＤＭＲＳとのＱＣＬ関連づけを有するパイロット信号は、別のタイプのパイロット信号であってよい。
【０２００】
ネットワークデバイスは、ユーザ特有サーチセクション内の候補を選択し、該候補上で端末デバイスに下りリンク制御チャネルＰＤＣＣＨを送出する。端末デバイスは、ネットワークデバイスの構成に基づいて、少なくとも１つのビームペアに対応するユーザ特有サーチセクション内の少なくとも１つの候補を検出する。ユーザ特有サーチセクション内の候補に対するブラインド検出の間に使用されるチャネル推定補間パラメータが、ＱＣＬ関連づけを有するＣＳＩ‐ＲＳの測定に基づいて取得される。
【０２０１】
したがって、本願の実施形態２において、ネットワークデバイスは、構成を通じて、異なるユーザ特有サーチセクション内の候補のＤＭＲＳが異なるＣＳＩ‐ＲＳとＱＣＬ関連づけを有することを可能にし、それにより、ＣＲＳなしでのユーザ特有サーチセクション内の候補に対する端末デバイスによるブラインド検出の間のチャネル推定問題を解決する。
【０２０２】
図９は、本願の一実施形態による端末デバイス３００の概略ブロック図である。図９に示すように、デバイス３００は、
制御チャネルの複数のサーチセクションのうち少なくとも１つに対応するパイロット信号を決定するように構成された決定ユニット３１０であり、少なくとも１つのサーチセクションの各々に対応するパイロット信号は各サーチセクション内の制御チャネル候補の復調パイロットとの擬似コロケーションＱＣＬ関連づけを有し、複数のサーチセクションの中の異なるサーチセクションは異なるタイプのパイロット信号に対応する、決定ユニット３１０と、
各サーチセクションに対応するパイロット信号と各サーチセクション内の制御チャネル候補の復調パイロットとの間のＱＣＬ関連づけに基づいて、少なくとも１つのサーチセクション内の制御チャネル候補を検出するように構成された検出ユニット３２０と、
を含む。
【０２０３】
任意選択で、複数のサーチセクションは共用サーチセクションを含み、共用サーチセクションに対応するパイロット信号は第１のタイプのパイロット信号であり、
第１のタイプのパイロット信号は、以下の信号、すなわち、同期信号、報知チャネルの復調パイロット、及びビーム測定パイロット、のうち少なくとも１つである。
【０２０４】
任意選択で、デバイスは、
ネットワークデバイスにランダムアクセスプリアンブルを送出するように構成された送出ユニットと、
ネットワークデバイスにより送出され、かつランダムアクセスプリアンブルに対応するランダムアクセス応答を受信するように構成された受信ユニットと、
をさらに含み、
決定ユニットは、
送出ユニットにより送出されたランダムアクセスプリアンブルに関連づけられた第１のパイロット信号を、共用サーチセクションに対応するパイロット信号として決定することであり、第１のパイロット信号は第１のタイプのパイロット信号である
ようにさらに構成される。
【０２０５】
任意選択で、決定ユニットが、端末デバイスにより送出されたランダムアクセスプリアンブルに関連づけられた第１のパイロット信号を、共用サーチセクションに対応するパイロット信号として決定する前に、決定ユニットは、
端末デバイスにより、送出ユニットにより送出されたランダムアクセスプリアンブルと、ランダムアクセスプリアンブル及び第１のタイプのパイロット信号の間の対応関係とに基づいて、第１のパイロット信号を決定することであり、異なるランダムアクセスプリアンブルは第１のタイプのパイロット信号の異なるシーケンスに対応し、あるいは
端末デバイスにより、送出ユニットにより送出されたランダムアクセスプリアンブルと、ランダムアクセスプリアンブル及び第１のタイプのパイロット信号の時間周波数リソースの間の対応関係とに基づいて、第１のパイロット信号を決定することであり、異なるランダムアクセスプリアンブルは第１のタイプのパイロット信号の異なる時間周波数リソースに対応し、あるいは
端末デバイスにより、送出ユニットにより送出されたランダムアクセスプリアンブルの時間周波数リソースと、ランダムアクセスプリアンブルの時間周波数リソース及び第１のタイプのパイロット信号の間の対応関係とに基づいて、第１のパイロット信号を決定することであり、ランダムアクセスプリアンブルの時間周波数リソース及び第１のタイプのパイロット信号の間の対応関係は、ランダムアクセスプリアンブルの異なる時間周波数リソースが第１のタイプのパイロット信号の異なるシーケンスに対応することであり、あるいは
端末デバイスにより、送出ユニットにより送出されたランダムアクセスプリアンブルの時間周波数リソースと、ランダムアクセスプリアンブルの時間周波数リソース及び第１のタイプのパイロット信号の時間周波数リソースとの間の対応に基づいて、第１のパイロット信号を決定することであり、ランダムアクセスプリアンブルの異なる時間周波数リソースは第１のパイロット信号の異なる時間周波数リソースに対応する
ようにさらに構成される。
【０２０６】
任意選択で、デバイスは、
第１のタイプの少なくとも２つの異なるパイロット信号をリッスンするように構成されたリッスンユニットと、
第１のタイプの少なくとも２つの異なるパイロット信号から第１のパイロット信号を選択するように構成された選択ユニットと、
をさらに含み、
送出ユニットにより送出されたランダムアクセスプリアンブルは第１のパイロット信号の識別子を搬送し、
決定ユニットは、
第１のパイロット信号の識別子に基づいて、該識別子を有する第１のタイプのパイロット信号を、共用サーチセクションに対応するパイロット信号として決定する
ようにさらに構成される。
【０２０７】
任意選択で、第１のタイプの少なくとも２つの異なるパイロット信号は異なる送信ビームにより送出され、
決定ユニットは、
第１のパイロット信号の識別子に基づいて、該識別子を有する第１のパイロット信号を送出するためのビームをリッスンすることを通じて取得される第１のタイプのパイロット信号を、共用サーチセクションに対応するパイロット信号として決定する
ようにさらに構成される。
【０２０８】
任意選択で、決定ユニットは、
第１の信号を送出するためのビームと第１の信号に対応する制御チャネル候補を送出するためのビームとが同じビームであると決定することであり、第１の信号は第１のタイプのパイロット信号であり、
制御チャネル候補と同じ送信ビームを有する第１の信号を、共用サーチセクションに対応するパイロット信号として決定する
ようにさらに構成される。
【０２０９】
任意選択で、共用サーチセクションは、ランダムアクセス応答をスケジュールするための制御チャネル候補を含む。
【０２１０】
任意選択で、複数のサーチセクションはユーザ特有サーチセクションを含み、
ユーザ特有サーチセクションに対応するパイロット信号は第２のタイプのパイロット信号であり、第２のタイプのパイロット信号はＣＳＩ‐ＲＳである。
【０２１１】
任意選択で、決定ユニットは、
ユーザ特有サーチセクションの合計Ｍ個の制御チャネル候補及びＮ個の送信ビームの間の第１の対応関係と、Ｎ個の送信ビーム及び第２のタイプのＮ個のパイロット信号の間の第２の対応関係とに基づいて、Ｍ個の制御チャネル候補とのＱＣＬ関連づけをそれぞれ有する第２のタイプのパイロット信号を決定することであり、Ｍ及びＮは２以上の整数である
ようにさらに構成され、
第１の対応関係は、Ｎ個のビームのビーム識別子ｎに基づいて、ビーム識別子ｎに対応する制御チャネル候補セットのリソース位置｛Ｃｎｉ｝、０＜ｉ≦Ｓｎを決定するものであり、Ｓｎは、ビーム識別子ｎに対応する制御チャネル候補の数であり、Ｃｎｉは、ビーム識別子ｎに対応する第ｉの制御チャネル候補の識別子であり、第２の対応関係は、Ｎ個の送信ビームを使用することにより第２のタイプのＮ個のパイロット信号を送出するものであり、Ｎ個の送信ビームの中の異なる送信ビームを使用することにより送出される第２のタイプのパイロット信号は互いに異なる。
【０２１２】
任意選択で、決定ユニットは、
ユーザ特有サーチセクションの合計Ｍ個の制御チャネル候補、Ｎ個の送信ビーム、及び端末デバイスのＩＤの間の第３の対応関係と、Ｎ個の送信ビーム及び第２のタイプのＮ個のパイロット信号の間の第２の対応関係とに基づいて、Ｍ個の制御チャネル候補とのＱＣＬ関連づけをそれぞれ有する第２のタイプのパイロット信号を決定することであり、Ｍ及びＮは２以上の整数である
ようにさらに構成され、
第２の対応関係は、Ｎ個の送信ビームを使用することにより第２のタイプのＮ個のパイロット信号を送出するものであり、Ｎ個の送信ビームの中の異なる送信ビームを使用することにより送出される第２のタイプのパイロット信号は互いに異なり、第３の対応関係は、ビーム識別子及び端末デバイスのＩＤ情報に連帯的に基づいて、各ビームに対応する制御チャネル候補セットのリソース位置｛Ｃｎｉ｝、０＜ｉ≦Ｓｎを決定するものであり、Ｓｎは、ビーム識別子ｎに対応する制御チャネル候補の数であり、Ｃｎｉは、ビーム識別子ｎに対応する第ｉの制御チャネル候補の識別子である。
【０２１３】
任意選択で、決定ユニットは、
ユーザ特有サーチセクションの合計Ｍ個の制御チャネル候補及び第２のタイプのＮ個のパイロット信号の間の第４の対応関係に基づいて、Ｍ個の制御チャネル候補とのＱＣＬ関連づけをそれぞれ有する第２のタイプのパイロット信号を決定することであり、Ｍ及びＮは２以上の整数である
ようにさらに構成され、
第４の対応関係は、第２のタイプのＮ個のパイロット信号の識別子ｎに基づいて、識別子ｎに対応する制御チャネル候補セットのリソース位置｛Ｃｎｉ｝、０＜ｉ≦Ｓｎを決定するものであり、Ｓｎは、第２のタイプのパイロット信号の識別子ｎに対応する制御チャネル候補の数であり、Ｃｎｉは、第２のタイプのパイロット信号の識別子ｎに対応する第ｉの制御チャネル候補の識別子である。
【０２１４】
任意選択で、Ｎ個の送信ビームの中の同じビームに対応するＳｎ個の制御チャネル候補は、第２のタイプの同じパイロット信号とのＱＣＬ関連づけを有し、
第１の対応関係におけるビーム識別子ｎに対応するＳｎ個の制御チャネル候補の復調パイロットは、第２の対応関係におけるビームｎに対応するビームを使用することにより送出される第２のタイプのパイロットとのＱＣＬ関連づけを有し、あるいは
第３の対応関係におけるビーム識別子ｎ及び端末デバイスのＩＤ情報に対応するＳｎ個の制御チャネル候補の復調パイロットは、第２の対応関係におけるビームｎに対応するビームを使用することにより送出される第２のタイプのパイロットとのＱＣＬ関連づけを有する。
【０２１５】
任意選択で、決定ユニットは、
ユーザ特有サーチセクションの合計Ｍ個の制御チャネル候補及びＮ個のビームペアの間の第１の対応関係と、Ｎ個のビームペア及び第２のタイプのＮ個のパイロット信号の間の第２の対応関係とに基づいて、Ｍ個の制御チャネル候補とのＱＣＬ関連づけをそれぞれ有する第２のタイプのパイロット信号を決定することであり、Ｍ及びＮは２以上の整数である
ようにさらに構成され、
Ｎ個のビームペアの各々は送信ビーム及び受信ビームを含み、送信ビームはネットワークデバイスの送信ビームであり、受信ビームは端末デバイスの受信ビームであり、
第１の対応関係は、Ｎ個のビームペアのビームペア識別子ｎに基づいて、ビームペア識別子ｎに対応する制御チャネル候補セットのリソース位置｛Ｃｎｉ｝、０＜ｉ≦Ｓｎを決定するものであり、Ｓｎは、ビームペア識別子ｎに対応する制御チャネル候補の数であり、Ｃｎｉは、ビームペア識別子ｎに対応する第ｉの制御チャネル候補の識別子であり、第２の対応関係は、ネットワークデバイスにより、Ｎ個のビームペアの中の送信ビームを使用することにより第２のタイプのＮ個のパイロット信号を送出し、端末デバイスにより、Ｎ個のビームペアの中の受信ビームを使用することにより第２のタイプのＮ個のパイロット信号を受信するものであり、Ｎ個のビームペアの中の異なるビームペアを使用することにより送受信される第２のタイプのパイロット信号は互いに異なり、第２のタイプの各パイロット信号を送出するためのビームと第２のタイプのパイロット信号を受信するためのビームとは、それぞれ、同じビームペアにおける送信ビーム及び受信ビームである。
【０２１６】
任意選択で、決定ユニットは、
ユーザ特有サーチセクションの合計Ｍ個の制御チャネル候補、Ｎ個のビームペア、及び端末デバイスのＩＤの間の第３の対応関係と、Ｎ個のビームペア及び第２のタイプのＮ個のパイロット信号の間の第２の対応関係とに基づいて、Ｍ個の制御チャネル候補とのＱＣＬ関連づけをそれぞれ有する第２のタイプのパイロット信号を決定することであり、Ｍ及びＮは２以上の整数である
ようにさらに構成され、
Ｎ個のビームペアの各々は送信ビーム及び受信ビームを含み、送信ビームはネットワークデバイスの送信ビームであり、受信ビームは端末デバイスの受信ビームであり、
第２の対応関係は、ネットワークデバイスにより、Ｎ個のビームペアの中の送信ビームを使用することにより第２のタイプのＮ個のパイロット信号を送出し、端末デバイスにより、Ｎ個のビームペアの中の受信ビームを使用することにより第２のタイプのＮ個のパイロット信号を受信するものであり、Ｎ個のビームペアの中の異なるビームペアを使用することにより送受信される第２のタイプのパイロット信号は互いに異なり、第２のタイプの各パイロット信号を送出するためのビームと第２のタイプのパイロット信号を受信するためのビームとは、それぞれ、同じビームペアにおける送信ビーム及び受信ビームであり、第３の対応関係は、ビームペア識別子及び端末デバイスのＩＤ情報に連帯的に基づいて、各ビームペアに対応する制御チャネル候補セットのリソース位置｛Ｃｎｉ｝、０＜ｉ≦Ｓｎを決定するものであり、Ｓｎは、ビームペア識別子ｎに対応する制御チャネル候補の数であり、Ｃｎｉは、ビーム識別子ｎに対応する第ｉの制御チャネル候補の識別子である。
【０２１７】
任意選択で、Ｎ個のビームペアの中の同じビームペアに対応するＳｎ個の制御チャネル候補は、第２のタイプの同じパイロット信号とのＱＣＬ関連づけを有し、
第１の対応関係におけるビームペア識別子ｎに対応するＳｎ個の制御チャネル候補の復調パイロットは、第２の対応関係におけるビームペアｎに対応する、第２のタイプのパイロットとのＱＣＬ関連づけを有し、あるいは
第３の対応関係におけるビームペア識別子ｎ及び端末デバイスのＩＤ情報に対応するＳｎ個の制御チャネル候補の復調パイロットは、第２の対応関係におけるビームペアｎに対応するビームを使用することにより送出される第２のタイプのパイロットとのＱＣＬ関連づけを有する。
【０２１８】
任意選択で、受信ユニットは、
上位層シグナリングを使用することによりネットワークデバイスにより送出された指示情報を受信することであり、指示情報は、以下の情報、すなわち、Ｎ個の送信ビームのビーム識別子、Ｎ個のビームペアのビーム識別子、第２の対応関係、及び第４の対応関係、のうち少なくとも１つのタイプを示すために使用される
ようにさらに構成される。
【０２１９】
本願の本実施形態による端末デバイス３００内のユニットの上記及び他の動作及び／又は機能は、図２の方法２００における端末デバイスの対応する手順を実現するためにそれぞれ使用されることを理解されたい。簡潔さのため、詳細はここで再度説明されない。
【０２２０】
図１０は、本願の一実施形態によるネットワークデバイス４００の概略ブロック図である。図１０に示すように、デバイス４００は、
制御チャネルの複数のサーチセクションのうち少なくとも１つに対応するパイロット信号を決定するように構成された決定ユニット４１０であり、少なくとも１つのサーチセクションの各々に対応するパイロット信号は各サーチセクション内の制御チャネル候補の復調パイロットとの擬似コロケーションＱＣＬ関連づけを有し、複数のサーチセクションの中の異なるサーチセクションは異なるタイプのパイロット信号に対応する、決定ユニット４１０と、
制御チャネルの複数のサーチセクションのうち少なくとも１つに対応するパイロット信号を送出するように構成された送出ユニット４２０と、
を含む。
【０２２１】
任意選択で、複数のサーチセクションは共用サーチセクションを含み、共用サーチセクションに対応するパイロット信号は第１のタイプのパイロット信号であり、
第１のタイプのパイロット信号は、以下の信号、すなわち、同期信号、報知チャネルの復調パイロット、及びビーム測定パイロット、のうち少なくとも１つである。
【０２２２】
任意選択で、デバイスは、
端末デバイスにより送出されたランダムアクセスプリアンブルを受信するように構成された受信ユニット
をさらに含み、
送出ユニットは、端末デバイスに対してランダムアクセスプリアンブルに対応するランダムアクセス応答を送出するようにさらに構成され、
決定ユニットは、
ネットワークデバイスにより受信されたランダムアクセスプリアンブルに関連づけられた第１のパイロット信号を、共用サーチセクションに対応するパイロット信号として決定することであり、第１のパイロット信号は第１のタイプのパイロット信号である
ようにさらに構成される。
【０２２３】
任意選択で、決定ユニットが、受信ユニットにより受信されたランダムアクセスプリアンブルに関連づけられた第１のパイロット信号を、共用サーチセクションに対応するパイロット信号として決定する前に、決定ユニットは、
端末デバイスにより、受信ユニットにより受信されたランダムアクセスプリアンブルと、ランダムアクセスプリアンブル及び第１のタイプのパイロット信号の間の対応関係とに基づいて、第１のパイロット信号を決定することであり、異なるランダムアクセスプリアンブルは第１のタイプのパイロット信号の異なるシーケンスに対応し、あるいは
端末デバイスにより、端末デバイスにより送出されたランダムアクセスプリアンブルと、ランダムアクセスプリアンブル及び第１のタイプのパイロット信号の時間周波数リソースの間の対応関係とに基づいて、第１のパイロット信号を決定することであり、異なるランダムアクセスプリアンブルは第１のタイプのパイロット信号の異なる時間周波数リソースに対応し、あるいは
端末デバイスにより、受信ユニットにより受信されたランダムアクセスプリアンブルの時間周波数リソースと、ランダムアクセスプリアンブルの時間周波数リソース及び第１のタイプのパイロット信号の間の対応関係とに基づいて、第１のパイロット信号を決定することであり、ランダムアクセスプリアンブルの時間周波数リソース及び第１のタイプのパイロット信号の間の対応関係は、ランダムアクセスプリアンブルの異なる時間周波数リソースが第１のタイプのパイロット信号の異なるシーケンスに対応することであり、あるいは
端末デバイスにより、受信ユニットにより受信されたランダムアクセスプリアンブルの時間周波数リソースと、ランダムアクセスプリアンブルの時間周波数リソース及び第１のタイプのパイロット信号の時間周波数リソースの間の対応関係とに基づいて、第１のパイロット信号を決定することであり、ランダムアクセスプリアンブルの異なる時間周波数リソースは第１のパイロット信号の異なる時間周波数リソースに対応する
ようにさらに構成される。
【０２２４】
任意選択で、デバイスは、
送出ユニットは、第１のタイプの少なくとも２つの異なるパイロット信号を送出するようにさらに構成され、
第１のタイプの少なくとも２つの異なるパイロット信号から第１のパイロット信号を選択するように構成された選択ユニット
をさらに含み、
受信ユニットにより受信されたランダムアクセスプリアンブルは第１のパイロット信号の識別子を搬送し、
決定ユニットは、
第１のパイロット信号の識別子に基づいて、該識別子を有する第１のタイプのパイロット信号を、共用サーチセクションに対応するパイロット信号として決定する
ようにさらに構成される。
【０２２５】
任意選択で、第１のタイプの少なくとも２つの異なるパイロット信号は異なる送信ビームにより送出され、
決定ユニットは、
第１のパイロット信号の識別子に基づいて、該識別子を有する第１のパイロット信号を送出するためのビームをリッスンすることを通じて取得される第１のタイプのパイロット信号を、共用サーチセクションに対応するパイロット信号として決定する
ようにさらに構成される。
【０２２６】
任意選択で、決定ユニットは、
第１の信号を送出するためのビームと第１の信号に対応する制御チャネル候補を送出するためのビームとが同じビームであると決定することであり、第１の信号は第１のタイプのパイロット信号であり、
制御チャネル候補と同じ送信ビームを有する第１の信号を、共用サーチセクションに対応するパイロット信号として決定する
ようにさらに構成される。
【０２２７】
任意選択で、共用サーチセクションは、ランダムアクセス応答をスケジュールするための制御チャネル候補を含む。
【０２２８】
任意選択で、複数のサーチセクションはユーザ特有サーチセクションを含み、
ユーザ特有サーチセクションに対応するパイロット信号は第２のタイプのパイロット信号であり、第２のタイプのパイロット信号はＣＳＩ‐ＲＳである。
【０２２９】
任意選択で、決定ユニットは、
ユーザ特有サーチセクションの合計Ｍ個の制御チャネル候補及びＮ個の送信ビームの間の第１の対応関係と、Ｎ個の送信ビーム及び第２のタイプのＮ個のパイロット信号の間の第２の対応関係とに基づいて、Ｍ個の制御チャネル候補とのＱＣＬ関連づけをそれぞれ有する第２のタイプのパイロット信号を決定することであり、Ｍ及びＮは２以上の整数である
ようにさらに構成され、
第１の対応関係は、Ｎ個のビームのビーム識別子ｎに基づいて、ビーム識別子ｎに対応する制御チャネル候補セットのリソース位置｛Ｃｎｉ｝、０＜ｉ≦Ｓｎを決定するものであり、Ｓｎは、ビーム識別子ｎに対応する制御チャネル候補の数であり、Ｃｎｉは、ビーム識別子ｎに対応する第ｉの制御チャネル候補の識別子であり、第２の対応関係は、Ｎ個の送信ビームを使用することにより第２のタイプのＮ個のパイロット信号を送出するものであり、Ｎ個の送信ビームの中の異なる送信ビームを使用することにより送出される第２のタイプのパイロット信号は互いに異なる。
【０２３０】
任意選択で、決定ユニットは、
ユーザ特有サーチセクションの合計Ｍ個の制御チャネル候補、Ｎ個の送信ビーム、及び端末デバイスのＩＤの間の第３の対応関係と、Ｎ個の送信ビーム及び第２のタイプのＮ個のパイロット信号の間の第２の対応関係とに基づいて、Ｍ個の制御チャネル候補とのＱＣＬ関連づけをそれぞれ有する第２のタイプのパイロット信号を決定することであり、Ｍ及びＮは２以上の整数である
ようにさらに構成され、
第２の対応関係は、Ｎ個の送信ビームを使用することにより第２のタイプのＮ個のパイロット信号を送出するものであり、Ｎ個の送信ビームの中の異なる送信ビームを使用することにより送出される第２のタイプのパイロット信号は互いに異なり、第３の対応関係は、ビーム識別子及び端末デバイスのＩＤ情報に連帯的に基づいて、各ビームに対応する制御チャネル候補セットのリソース位置｛Ｃｎｉ｝、０＜ｉ≦Ｓｎを決定するものであり、Ｓｎは、ビーム識別子ｎに対応する制御チャネル候補の数であり、Ｃｎｉは、ビーム識別子ｎに対応する第ｉの制御チャネル候補の識別子である。
【０２３１】
任意選択で、ユーザ特有サーチセクションの合計Ｍ個の制御チャネル候補及び第２のタイプのＮ個のパイロット信号の間の第４の対応関係に基づいて、Ｍ個の制御チャネル候補とのＱＣＬ関連づけをそれぞれ有する第２のタイプのパイロット信号が決定され、Ｍ及びＮは２以上の整数であり、
第４の対応関係は、第２のタイプのＮ個のパイロット信号の識別子ｎに基づいて、識別子ｎに対応する制御チャネル候補セットのリソース位置｛Ｃｎｉ｝、０＜ｉ≦Ｓｎを決定するものであり、Ｓｎは、第２のタイプのパイロット信号の識別子ｎに対応する制御チャネル候補の数であり、Ｃｎｉは、第２のタイプのパイロット信号の識別子ｎに対応する第ｉの制御チャネル候補の識別子である。
【０２３２】
任意選択で、Ｎ個の送信ビームの中の同じビームに対応するＳｎ個の制御チャネル候補は、第２のタイプの同じパイロット信号とのＱＣＬ関連づけを有し、
第１の対応関係におけるビーム識別子ｎに対応するＳｎ個の制御チャネル候補の復調パイロットは、第２の対応関係におけるビームｎに対応するビームを使用することにより送出される第２のタイプのパイロットとのＱＣＬ関連づけを有し、あるいは
第３の対応関係におけるビーム識別子ｎ及び端末デバイスのＩＤ情報に対応するＳｎ個の制御チャネル候補の復調パイロットは、第２の対応関係におけるビームｎに対応するビームを使用することにより送出される第２のタイプのパイロットとのＱＣＬ関連づけを有する。
【０２３３】
任意選択で、決定ユニットは、
ユーザ特有サーチセクションの合計Ｍ個の制御チャネル候補及びＮ個のビームペアの間の第１の対応関係と、Ｎ個のビームペア及び第２のタイプのＮ個のパイロット信号の間の第２の対応関係とに基づいて、Ｍ個の制御チャネル候補とのＱＣＬ関連づけをそれぞれ有する第２のタイプのパイロット信号を決定することであり、Ｍ及びＮは２以上の整数である
ようにさらに構成され、
Ｎ個のビームペアの各々は送信ビーム及び受信ビームを含み、送信ビームはネットワークデバイスの送信ビームであり、受信ビームは端末デバイスの受信ビームであり、
第１の対応関係は、Ｎ個のビームペアのビームペア識別子ｎに基づいて、ビームペア識別子ｎに対応する制御チャネル候補セットのリソース位置｛Ｃｎｉ｝、０＜ｉ≦Ｓｎを決定するものであり、Ｓｎは、ビームペア識別子ｎに対応する制御チャネル候補の数であり、Ｃｎｉは、ビームペア識別子ｎに対応する第ｉの制御チャネル候補の識別子であり、第２の対応関係は、ネットワークデバイスにより、Ｎ個のビームペアの中の送信ビームを使用することにより第２のタイプのＮ個のパイロット信号を送出し、端末デバイスにより、Ｎ個のビームペアの中の受信ビームを使用することにより第２のタイプのＮ個のパイロット信号を受信するものであり、Ｎ個のビームペアの中の異なるビームペアを使用することにより送受信される第２のタイプのパイロット信号は互いに異なり、第２のタイプの各パイロット信号を送出するためのビームと第２のタイプのパイロット信号を受信するためのビームとは、それぞれ、同じビームペアにおける送信ビーム及び受信ビームである。
【０２３４】
任意選択で、決定ユニットは、
ユーザ特有サーチセクションの合計Ｍ個の制御チャネル候補、Ｎ個のビームペア、及び端末デバイスのＩＤの間の第３の対応関係と、Ｎ個のビームペア及び第２のタイプのＮ個のパイロット信号の間の第２の対応関係とに基づいて、Ｍ個の制御チャネル候補とのＱＣＬ関連づけをそれぞれ有する第２のタイプのパイロット信号を決定することであり、Ｍ及びＮは２以上の整数である
ようにさらに構成され、
Ｎ個のビームペアの各々は送信ビーム及び受信ビームを含み、送信ビームはネットワークデバイスの送信ビームであり、受信ビームは端末デバイスの受信ビームであり、
第２の対応関係は、ネットワークデバイスにより、Ｎ個のビームペアの中の送信ビームを使用することにより第２のタイプのＮ個のパイロット信号を送出し、端末デバイスにより、Ｎ個のビームペアの中の受信ビームを使用することにより第２のタイプのＮ個のパイロット信号を受信するものであり、Ｎ個のビームペアの中の異なるビームペアを使用することにより送受信される第２のタイプのパイロット信号は互いに異なり、第２のタイプの各パイロット信号を送出するためのビームと第２のタイプのパイロット信号を受信するためのビームとは、それぞれ、同じビームペアにおける送信ビーム及び受信ビームであり、第３の対応関係は、ビームペア識別子及び端末デバイスのＩＤ情報に連帯的に基づいて、各ビームペアに対応する制御チャネル候補セットのリソース位置｛Ｃｎｉ｝、０＜ｉ≦Ｓｎを決定するものであり、Ｓｎは、ビームペア識別子ｎに対応する制御チャネル候補の数であり、Ｃｎｉは、ビーム識別子ｎに対応する第ｉの制御チャネル候補の識別子である。
【０２３５】
任意選択で、Ｎ個のビームペアの中の同じビームペアに対応するＳｎ個の制御チャネル候補は、第２のタイプの同じパイロット信号とのＱＣＬ関連づけを有し、
第１の対応関係におけるビームペア識別子ｎに対応するＳｎ個の制御チャネル候補の復調パイロットは、第２の対応関係におけるビームペアｎに対応する、第２のタイプのパイロットとのＱＣＬ関連づけを有し、あるいは
第３の対応関係におけるビームペア識別子ｎ及び端末デバイスのＩＤ情報に対応するＳｎ個の制御チャネル候補の復調パイロットは、第２の対応関係におけるビームペアｎに対応するビームを使用することにより送出される第２のタイプのパイロットとのＱＣＬ関連づけを有する。
【０２３６】
任意選択で、送出ユニットは、
指示情報を送出することであり、指示情報は、以下の情報、すなわち、Ｎ個の送信ビームのビーム識別子、Ｎ個のビームペアのビーム識別子、第２の対応関係、及び第４の対応関係、のうち少なくとも１つのタイプを示すために使用される
ようにさらに構成される。
【０２３７】
本願の本実施形態によるネットワークデバイス４００内のユニットの上記及び他の動作及び／又は機能は、それぞれ、図２の方法２００におけるネットワークデバイスの対応する手順を実現するために使用されることを理解されたい。簡潔さのため、詳細はここで再度説明されない。
【０２３８】
図１１は、本願の一実施形態による通信装置５００の概略ブロック図である。通信装置５００は、
プログラムコードを記憶するように構成されたメモリ５１０と、
他のデバイスと通信するように構成された送受信機５２０と、
メモリ５１０内のプログラムコードを実行するように構成されたプロセッサ５３０と、
を含む。
【０２３９】
任意選択で、コードが実行されたとき、プロセッサ５３０は、方法２００において端末デバイスにより実行される動作を実現することができる。簡潔さのため、詳細はここで再度説明されない。この場合、通信装置５００は端末デバイスであってよい。送受信機５２０は、プロセッサ５３０により駆動されたときに特定の信号を受信及び送出するように構成される。
【０２４０】
任意選択で、コードが実行されたとき、プロセッサ５３０は、方法２００においてネットワークデバイスにより実行される動作を実現することができる。簡潔さのため、詳細はここで再度説明されない。この場合、通信装置５００はネットワークデバイスであってよい。送受信機５２０は、プロセッサ５３０により駆動されたときに特定の信号を受信及び送出するように構成される。
【０２４１】
本願の本実施形態において、プロセッサ５３０は中央処理ユニット（Central  Processing  Unit、ＣＰＵ）であってよく、あるいはプロセッサ５３０は別の汎用プロセッサ、デジタル信号プロセッサ、特定用途向け集積回路（application-specific  integrated  circuit、ＡＳＩＣ）、フィールドプログラマブルゲートアレイ（field  programmable  gate  array、ＦＰＧＡ）又は別のプログラマブル論理デバイス、ディスクリートゲート又はトランジスタ論理デバイス、ディスクリートハードウェアコンポーネントなどであってよいことを理解されたい。汎用プロセッサはマイクロプロセッサであってよく、あるいはプロセッサは任意の従来のプロセッサなどであってよい。
【０２４２】
メモリ５１０は読取専用メモリ及びランダムアクセスメモリを含み、命令及びデータをプロセッサ５３０に提供してよい。メモリ５１０の一部が不揮発ランダムアクセスメモリをさらに含んでよい。例えば、メモリ５１０はデバイスタイプ情報をさらに記憶してよい。
【０２４３】
送受信機５２０は、信号送受信機能、例えば、アップコンバージョン及びダウンコンバージョン機能とも呼ばれる周波数変調及び復調機能を実現するように構成されてよい。
【０２４４】
実装プロセスにおいて、前述の方法の少なくとも１つのステップが、プロセッサ５３０内のハードウェアの集積論理回路を使用することにより完了されてよく、あるいは、集積論理回路は、ソフトウェア形式の命令により駆動されたときに少なくとも１つのステップを完了してよい。したがって、通信装置５００はチップ又はチップセットであってよい。本願の実施形態を参照して開示される方法のステップは、ハードウェアプロセッサにより直接的に実行されてよく、あるいはプロセッサ内のハードウェアとソフトウェアモジュールとの組み合わせを使用することにより実行されてよい。ソフトウェアモジュールは、ランダムアクセスメモリ、フラッシュメモリ、読取専用メモリ、プログラマブル読取専用メモリ、電気的消去可能プログラマブルメモリ、又はレジスタなどの、当該分野における成熟した記憶媒体内に配置されてよい。記憶媒体はメモリ内に配置され、プロセッサ５３０はメモリ内の情報を読み出し、プロセッサのハードウェアと組み合わせて方法のステップを完了する。繰り返しを避けるため、詳細はここで再度説明されない。
【０２４５】
当業者は、本明細書に開示された実施形態に記載された例を参照し、ユニット及びアルゴリズムステップが電子ハードウェア又はコンピュータソフトウェアと電子ハードウェアとの組み合わせにより実現され得ることを認識し得る。機能がハードウェアにより実行されるか又はソフトウェアにより実行されるかは、技術的解決策の特定の適用及び設計制約条件に依存する。当業者は、異なる方法を用いて特定の適用ごとに記載された機能を実現し得るが、その実現が本願の範囲を超えるものと考えられるべきでない。
【０２４６】
簡便及び簡潔な説明を目的とし、前述の説明されたシステム、装置、及びユニットの詳細な動作プロセスについては前述の方法の実施形態における対応するプロセスを参照することが当業者により明確に理解され得、詳細はここで再度説明されない。
【０２４７】
本願で提供される実施形態において、開示されたシステム、装置、及び方法は他の方式で実現されてよいことを理解されたい。例えば、説明された装置の実施形態は一例に過ぎない。例えば、ユニット分割は論理機能分割に過ぎず、実際の実装において他の分割であってよい。例えば、複数のユニット又はコンポーネントが組み合わせられ、又は別のシステムに統合されてよく、あるいは、いくつかの特徴が無視されてよく、又は実行されなくてよい。さらに、表示され又は論じられた相互結合又は直接結合又は通信接続は、いくつかのインタフェースを使用することにより実現されてよい。装置又はユニット間の間接結合又は通信接続は、電子的、機械的、又は他の形式で実現されてよい。
【０２４８】
別個の部分として説明されたユニットは、物理的に別個であっても又はそうでなくてもよく、ユニットとして表示された部分は、物理的ユニットであっても又はそうでなくてもよく、１つの場所に配置されてよく、あるいは複数のネットワークユニット上に分散されてよい。ユニットの一部又は全部が、実施形態の解決策の目的を達成するために、実際の要件に基づいて選択されてよい。
【０２４９】
さらに、本願の実施形態における機能ユニットは１つの処理ユニットに統合されてよく、あるいはユニットの各々が物理的に単独で存在してよく、あるいは２つ以上のユニットが１つのユニットに統合される。
【０２５０】
機能がソフトウェア機能ユニットの形態で実現され、独立したプロダクトとして販売又は使用されるとき、機能はコンピュータ読取可能記憶媒体に記憶されてよい。このような理解に基づいて、本質的に本願の技術的解決策、又は先行技術に寄与する部分、又は技術的解決策のいくつかは、ソフトウェアプロダクトの形式で実現されてよい。コンピュータソフトウェアプロダクトは記憶媒体に記憶され、コンピュータデバイス（これはパーソナルコンピュータ、サーバ、ネットワークデバイスなどであっもよい）に本願の実施形態に説明される方法のステップの全部又は一部を実行するように命令するための命令を含む。前述の記憶媒体は、ＵＳＢフラッシュドライブ、取外し可能ハードディスク、読取専用メモリ（Read-Only  Memory、ＲＯＭ）、ランダムアクセスメモリ（Random  Access  Memory、ＲＡＭ）、磁気ディスク、又は光ディスクなどの、プログラムコードを記憶することができる様々な媒体を含む。
【０２５１】
前述の説明は本願の具体的な実装に過ぎず、本願の保護範囲を制限することは意図されない。本願で開示された技術的範囲内で当業者により容易に理解されるいかなる変形又は置換も本願の保護範囲内に入るものとする。したがって、本願の保護範囲は特許請求の範囲の保護範囲に従うものとする。
【図１】
0006880200.tif 000002
【図２】
0006880200.tif 000003
【図３Ａ】
0006880200.tif 000004
【図３Ｂ】
0006880200.tif 000005
【図４】
0006880200.tif 000006
【図５Ａ】
0006880200.tif 000007
【図５Ｂ】
0006880200.tif 000008
【図６Ａ】
0006880200.tif 000009
【図６Ｂ】
0006880200.tif 000010
【図７】
0006880200.tif 000011
【図８】
0006880200.tif 000012
【図９】
0006880200.tif 000013
【図１０】
0006880200.tif 000014
【図１１】
0006880200.tif 000015